(57)【特許請求の範囲】
【請求項１】
少なくとも一つのキャリアを含むマルチキャリアを支援する無線接続システムにおいてページングキャリアを指示する方法であって、
基地局で、前記少なくとも一つのキャリアのそれぞれがページングキャリアであるか否かを指示する指示情報を含む第１メッセージを、少なくとも一つの端末に伝送する段階と、
ページングのための第２メッセージを、前記指示情報により指示される少なくとも一つのページングキャリアを通じて伝送する段階と、
を含み、
前記第１メッセージ及び前記第２メッセージは、前記基地局から放送され、
前記第１メッセージは、マルチキャリア公示（ＡＡＩ−ＭＣ−ＡＤＶ）メッセージ、ページング識別情報（ＰＧＩＤ−Ｉｎｆｏ）メッセージ及びネーバー公示（ＡＡＩ−ＮＢＲ−ＡＤＶ）メッセージを含み、
前記第２メッセージは、ページング公示（ＡＡＩ−ＰＡＧ−ＡＤＶ）メッセージである、ページングキャリア指示方法。
【請求項２】
前記指示情報は、前記少なくとも一つのキャリアのそれぞれに対して設定されるページングキャリア指示フィールドを含む、請求項１に記載のページングキャリア指示方法。
【請求項３】
遊休モードで前記各端末を識別するための識別子を割り当てる段階をさらに含む、請求項１に記載のページングキャリア指示方法。
【請求項４】
少なくとも一つのキャリアを含むマルチキャリアを支援する無線接続システムにおいてページングキャリアを指示する方法であって、
端末で、前記少なくとも一つのキャリアのそれぞれがページングキャリアであるか否かを指示する指示情報を含む第１メッセージを、基地局から受信する段階と、
遊休モード動作中に、ページングのための第２メッセージを、前記指示情報により指示される少なくとも一つのページングキャリアのうちの第１キャリアを通じて受信する段階と、
を含み、
前記第１メッセージは、マルチキャリア公示（ＡＡＩ−ＭＣ−ＡＤＶ）メッセージ、ページング識別情報（ＰＧＩＤ−Ｉｎｆｏ）メッセージ及びネーバー公示（ＡＡＩ−ＮＢＲ−ＡＤＶ）メッセージを含み、
前記第２メッセージは、ページング公示（ＡＡＩ−ＰＡＧ−ＡＤＶ）メッセージである、ページングキャリア指示方法。
【請求項５】
前記指示情報は、前記少なくとも一つのキャリアのそれぞれに対して設定されるページングキャリア指示フィールドを含む、請求項４に記載のページングキャリア指示方法。
【請求項６】
前記遊休モード動作において前記端末を識別するための識別子を前記基地局から受信する段階をさらに含み、
前記端末は、前記識別子を用いて前記第１キャリアを決定することを特徴とする、請求項４に記載のページングキャリア指示方法。
【請求項７】
前記端末は、前記第１キャリアのインデックスを、下記の数学式を用いて決定することを特徴とする、請求項６に記載のページングキャリア指示方法。
［数学式］
前記第１キャリアのインデックス＝識別子  ｍｏｄｕｌｏ  Ｎ（ここで、Ｎは、前記指示情報により指示される前記少なくとも一つのページングキャリアの個数を表す。）
【請求項８】
少なくとも一つのキャリアを含むマルチキャリアを支援する無線接続システムにおいて動作する端末装置であって、
プロセッサーと、
前記プロセッサーの制御によって外部と無線で信号を送受信する無線通信（ＲＦ）ユニットと、
を含み、
前記プロセッサーは、
基地局から受信される第１メッセージを通じて、前記少なくとも一つのキャリアのそれぞれがページングキャリアであるか否かを指示する指示情報を獲得し、遊休モード動作中に、ページングのための第２メッセージを、前記指示情報により指示される少なくとも一つのページングキャリアのうちの第１キャリアを通じて受信するように制御し、
前記第１メッセージは、マルチキャリア公示（ＡＡＩ−ＭＣ−ＡＤＶ）メッセージ、ページング識別情報（ＰＧＩＤ−Ｉｎｆｏ）メッセージ及びネーバー公示（ＡＡＩ−ＮＢＲ−ＡＤＶ）メッセージを含み、
前記第２メッセージは、ページング公示（ＡＡＩ−ＰＡＧ−ＡＤＶ）メッセージである、端末装置。
【請求項９】
前記指示情報は、前記少なくとも一つのキャリアのそれぞれに対して設定されるページングキャリア指示フィールドを含む、請求項８に記載の端末装置。
【請求項１０】
前記プロセッサーは、
前記遊休モード動作において前記端末装置を識別するための識別子を前記基地局から受信し、前記識別子を用いて前記第１キャリアを決定することを特徴とする、請求項８に記載の端末装置。
【請求項１１】
前記プロセッサーは、前記第１キャリアのインデックスを、下記の数学式を用いて決定することを特徴とする、請求項１０に記載の端末装置。
［数学式］
前記第１キャリアのインデックス＝識別子  ｍｏｄｕｌｏ  Ｎ（ここで、Ｎは、前記指示情報により指示される前記少なくとも一つのページングキャリアの個数を表す。）
【発明の詳細な説明】
【技術分野】
【０００１】
本発明は、無線接続システムに関するものである。また、本発明は、マルチキャリア環境でページングキャリアを割り当てる方法に関するものである。
【背景技術】
【０００２】
以下では、本発明の実施例で用いられるシングルキャリア（Ｓｉｎｇｌｅ−Ｃａｒｒｉｅｒ）及びマルチキャリア（Ｍｕｌｔｉ−Ｃａｒｒｉｅｒ）の変調方式について簡略に説明する。
【０００３】
シングルキャリア変調方式（ＳＣＭ：Ｓｉｎｇｌｅ−Ｃａｒｒｉｅｒ  Ｍｏｄｕｌａｔｉｏｎ  Ｓｃｈｅｍｅ）は、マルチキャリア変調方式（ＭＣＭ：Ｍｕｌｔｉ−Ｃａｒｒｉｅｒ  Ｍｏｄｕｌａｔｉｏｎ  Ｓｃｈｅｍｅ）とは違い、一つのキャリアに全ての情報を載せて変調する変調方式のことをいう。
【０００４】
ただし、シングルキャリア方式は、周波数選択的ページングに弱い。したがって、これを克服するためには複雑な等化器（ｅｑｕａｌｉｚｅｒ）が必要である。また、シングルキャリア方式を用いる場合、保護帯域などが必要なため、帯域効率性がよくない。
【０００５】
マルチキャリア変調方式は、全体帯域幅チャネル（Ｃｈａｎｎｅｌ）を、多数の小さい帯域幅を持つサブチャネル（Ｓｕｂ−ｃｈａｎｎｅｌ）に分割し、多数の狭帯域のサブキャリア（Ｓｕｂ−Ｃａｒｒｉｅｒ）を各サブチャネルで多重に伝送する技術のことをいう。
【０００６】
マルチキャリア方式で、各サブチャネルは小さい帯域幅により平坦な特性（Ｆｌａｔ  Ｃｈａｎｎｅｌ）を持つように近似化される。マルチキャリア方式は、簡単な等化器を使ってチャネルの歪を補償することができる。また、ＦＦＴ（Ｆａｓｔ  Ｆｏｕｒｉｅｒ  Ｔｒａｎｓｆｏｒｍ）を用いて高速具現が可能であり、ＳＣＭ方式に比べて高速のデータ伝送に有利である。
【０００７】
以下では、本発明の実施例に関連する端末の遊休モード及びページンググループについて簡略に説明する。
【０００８】
遊休モード（Ｉｄｌｅ  Ｍｏｄｅ）とは、一般に、端末が多重基地局で構成された無線リンク環境内で移動する際に、特定基地局に登録しなくても、ダウンリンク（ＤＬ：ＤｏｗｎＬｉｎｋ）ブロードキャストトラフィック伝送を周期的に行えるように支援する動作のことをいう。
【０００９】
端末は、一定時間の間に基地局からトラフィック（ｔｒａｆｆｉｃ）を受信しない場合、電力を節約（Ｐｏｗｅｒ  ｓａｖｉｎｇ）するために遊休モードに遷移することができる。遊休モードに遷移した端末は、平均的期間（Ａｖａｉｌａｂｌｅ  ｉｎｔｅｒｖａｌ）の間に基地局が伝送する放送メッセージ（例えば、ページングメッセージ）を受信して、一般モード（ｎｏｒｍａｌ  ｍｏｄｅ）に遷移するか、または、遊休モードを維持するか判断することができる。また、遊休モードにある端末は、位置更新を行うことによって、ページング制御器（Ｐａｇｉｎｇ  ｃｏｎｔｒｏｌｌｅｒ）に自身の位置を知らせることができる。
【００１０】
遊休モードは、ハンドオーバーに関連する活性要求及び一般的な運営要求を除去することによって端末に良い結果をもたらすことができる。遊休モードは、端末活動を離散周期でスキャニングするように制限することによって、端末が使用する電力及び運用リソースを節約可能にする。
【００１１】
また、遊休モードは、端末にペンディング（ｐｅｎｄｉｎｇ）中のダウンリンクトラフィックについて知らせうる簡単で適切な方式を提供し、非活動的な端末から無線インターフェース及びネットワークハンドオーバー（ＨＯ：ＨａｎｄＯｖｅｒ）トラフィックを除去することによってネットワーク及び基地局に良い結果をもたらすことができる。
【００１２】
ページングとは、移動通信において着信呼の発生時に該当の移動端末（ＭＳ：Ｍｏｂｉｌｅ  Ｓｔａｔｉｏｎ）の位置（例えば、どの基地局またはどの交換局など）を把握する機能のことをいう。遊休モードを支援する多数の基地局（ＢＳ：Ｂａｓｅ  Ｓｔａｔｉｏｎ）は、特定ページンググループ（Ｐａｇｉｎｇ  Ｇｒｏｕｐ）に所属してページング領域を構成することができる。
【００１３】
この場合、ページンググループは、論理的なグループを表す。ページンググループの目的は、移動端末（ＭＳ）をターゲット（ｔａｒｇｅｔ）とするトラフィックがあるとすれば、ダウンリンク（ＤＬ：ＤｏｗｎＬｉｎｋ）でページ（ｐａｇｅ）されうる隣接範囲領域を提供することにある。ページンググループの大きさは、特定端末が大部分の時間の間に同一ページンググループ内で存在できる程度に十分に大きく、ページング負荷が適正なレベルを維持するために十分に小さくなければならないという条件を満たすことが好ましい。
【００１４】
ページンググループは一つ以上の基地局を含むことができ、一つの基地局は、一つまたはそれ以上のページンググループに含まれることができる。ページンググループは、管理システムで定義する。ページンググループでは、ページンググループ−実行（ａｃｔｉｏｎ）バックボーンネットワーク（ｂａｃｋｂｏｎｅ  ｎｅｔｗｏｒｋ）メッセージを使用することができる。また、ページング制御器は、バックボーンネットワークメッセージのうちの一つであるページング公知（ｐａｇｉｎｇ−ａｎｎｏｕｎｃｅ）メッセージを用いて、遊休モードにある端末のリストを管理し、ページンググループに属する全ての基地局の初期ページングを管理することができる。
【００１５】
遊休モードに進入した端末のカバレッジ（ｃｏｖｅｒａｇｅ）は、複数の基地局（ｍｕｌｔｉｐｌｅ  ＢＳ）のグループである基地局ページンググループ（ＢＳ  ｐａｇｉｎｇ  ｇｒｏｕｐ）になる。すなわち、遊休モードで動作する端末は、地理的に分けられた基地局ページンググループのうちの一つ以上に属することができる。また、基地局は、遊休モード端末が実際に自身からサービスを受けていない場合にも、遊休モード端末の位置をページンググループ単位にのみ認識することができる。したがって、基地局は自身のページンググループ（ｐａｇｉｎｇ  ｇｒｏｕｐ）に属する遊休モード端末に対して設定された全てのページング区間（ｐａｇｉｎｇ  ｉｎｔｅｒｖａｌ）で各端末に対するページングメッセージ（ｐａｇｉｎｇ  ｍｅｓｓａｇｅ）を伝送（ｂｒｏａｄｃａｓｔｉｎｇ）しなければならない。この時、基地局が一つのページンググループに属し、マルチキャリア（Ｍｕｌｔｉ−ｃａｒｒｉｅｒ）を支援すると、基地局が支援（ｓｕｐｐｏｒｔ）する全てのキャリアは同一のページンググループ識別子（ｐａｇｉｎｇ  ｇｒｏｕｐ  ＩＤ）を有する。
【発明の概要】
【発明が解決しようとする課題】
【００１６】
本発明の目的は、広帯域無線接続網において効率的にページングキャリア（Ｐａｇｉｎｇ  Ｃａｒｒｉｅｒ）を割り当てる方法を提供することにある。
【００１７】
本発明の他の目的は、無線接続システムにおいてマルチキャリア（Ｍｕｌｔｉ−ｃａｒｒｉｅｒ）を支援する場合、各移動局にページングキャリアを效率的に割り当てる方法を提供することにある。
【００１８】
本発明のさらに他の目的は、ネットワーク（または基地局）が明示的にページングキャリアを知らせる方法と移動局がページングキャリアを暗黙的に自分でわかる方法を提供することにある。
【００１９】
本発明で解決しようとする技術的課題は、以上で言及した技術的課題に制限されず、言及していない他の技術的課題は、下の記載から、本発明の属する技術分野における通常の知識を有する者には明確になるであろう。
【課題を解決するための手段】
【００２０】
上記の技術的課題を解決するために、本発明は、マルチキャリア環境でページングキャリアを割り当てる様々な方法を開示する。
【００２１】
本発明の一様態として、無線接続時ステムにおいてページングキャリアを割り当てる方法は、基地局で、一つ以上のキャリアを含むマルチキャリアのうちの所定のキャリアにページングチャネルを割り当てて前記ページングキャリアを生成する段階と、基地局でページングキャリアに関する割当情報を含む第１メッセージを移動局に伝送する段階と、を含むことができる。ここで、第１メッセージは、放送チャネル（ＢＣＨ）または追加的放送情報であり、第１メッセージは、一つ以上の移動局に放送されることができる。
【００２２】
上の本発明の一様態において、前記割当情報は、特定キャリアにページングチャネルが割り当てられるか否かを示すフラグであると好ましい。または、前記割当情報は、ページングキャリアの識別子またはページングキャリアのインデックスであると好ましい。
【００２３】
上の本発明の一様態は、基本能力交渉要請メッセージまたは登録要請メッセージを受信する段階をさらに含むことができる。この場合に、第１メッセージは、基本能力交渉応答メッセージまたは登録応答メッセージであると好ましい。ここで、前記割当情報は、マルチキャリアに含まれた一つ以上のキャリアの総数を示す個数パラメータ、一つ以上のキャリアの識別子及び一つ以上のキャリアがそれぞれページングチャネルを含むか否かを示すページングキャリアサポートパラメータを含むことができる。
【００２４】
上の本発明の一様態は、移動局から遊休モード進入を要請する登録解除要請メッセージを受信する段階と、変更されたページングキャリア割当情報を含む登録解除命令メッセージを移動局に伝送する段階と、をさらに含むことができる。ここで、登録解除要請メッセージは、移動局が要求するページングキャリアに関する情報を含むことができる。
【００２５】
本発明の他の様態として、無線接続時ステムにおいてページングキャリアを割り当てる方法は、ページングキャリアに関する第１割当情報を含む第１メッセージを受信する段階と、遊休モードに進入することを要請する第２メッセージを基地局に伝送する段階と、基地局から、変更されたページングキャリアに関する第２割当情報を含む第３メッセージを受信する段階と、を含むことができる。ここで、ページングキャリアは、一つ以上のキャリアを含むマルチキャリアのうち、ページングチャネルを含むキャリアでありうる。
【００２６】
上の本発明の他の様態において、前記第１割当情報は、ページングキャリアの識別子またはページングキャリアのインデックスであると好ましい。または、前記第１割当情報は、マルチキャリアに含まれた一つ以上のキャリアの総数を示す個数パラメータ、一つ以上のキャリアの識別子及び一つ以上のキャリアがそれぞれページングチャネルを含むか否かを示すページングキャリアサポートパラメータを含むことができる。
【００２７】
上の本発明の他の様態において、第１メッセージは基本能力応答メッセージまたは登録応答メッセージであり、第２メッセージは登録解除要請メッセージであり、第３メッセージは登録解除応答メッセージであると好ましい。
【００２８】
本発明のさらに他の様態として、無線接続時ステムにおいてページングキャリアを割り当てる方法は、基地局からページング識別子を含む第１メッセージを受信する段階と、ページング識別子及び移動局の媒体接近制御アドレスを用いてページングキャリアを獲得する段階と、を含むことができる。ここで、ページングキャリアは、一つ以上のキャリアを含むマルチキャリアのうち、ページングチャネルを含むキャリアであると好ましい。
【００２９】
上の本発明のさらに他の様態において、ページングキャリアを獲得する段階は、ページング識別子を媒体接近制御アドレスの所定の最下位ビットを用いてモジューロ演算して計算された値を用いることができる。
【００３０】
本発明のさらに他の様態として、ページングキャリアが割り当てられる移動端末機は、外部から無線信号を受信するための受信部、無線信号を外部に伝送するための送信部、及びプロセッサーを含み、前記受信部は、基地局からページングキャリアに関する第１割当情報を含む第１メッセージ、及び変更されたページングキャリアに関する第２割当情報を含む第２メッセージを受信し、プロセッサーは、前記端末が遊休モードに進入する旨を要請する第３メッセージを生成し、前記送信部を介して前記基地局に伝送するように構成することができる。
【００３１】
上の本発明の他の様態において、前記ページングキャリアは、一つ以上のキャリアを含むマルチキャリアのうち、ページングチャネルを含むキャリアであり、前記第１割当情報は、前記ページングキャリアの識別子または前記ページングキャリアのインデックスであると良い。
【００３２】
上の本発明の他の様態において、前記第１メッセージは、基本能力応答メッセージまたは登録応答メッセージであり、前記第２メッセージは登録解除応答メッセージであり、前記第３メッセージは登録解除要請メッセージであると好ましい。
【００３３】
本発明のさらに他の様態として、ページングキャリアが割り当てられる移動端末機は、外部から無線信号を受信するための受信部、無線信号を外部に伝送するための送信部、及びプロセッサーを含み、前記受信部は基地局からページング識別子を含む第１メッセージを受信し、前記プロセッサーは、前記ページング識別子及び前記端末の媒体接近制御アドレスを用いてページングキャリアを獲得するように構成され、前記ページングキャリアは、一つ以上のキャリアを含むマルチキャリアのうち、ページングチャネルを含むキャリアであると良い。
【００３４】
上の本発明のさらに他の様態で、前記プロセッサーは、前記ページング識別子を前記媒体接近制御アドレスの所定の最下位ビットを用いてモジューロ演算を行い、演算によって計算された値に基づいて前記ページングキャリアを獲得するように構成することができる。
【００３５】
以上の実施例は本発明の好適な実施例の一部に過ぎず、本願発明の技術的特徴を反映した様々な実施例が、当該の技術の分野における通常の知識を有する者により以下の本発明の詳細な説明に基づいて導出され、理解されるであろう。
（項目１）
無線接続時ステムにおいてページングキャリアを割り当てる方法であって、
一つ以上のキャリアを含むマルチキャリアのうちの所定のキャリアにページングチャネルを割り当てて前記ページングキャリアを生成する段階と、
前記ページングキャリアに関する割当情報を含む第１メッセージを伝送する段階と、
を含む、ページングキャリア割当方法。
（項目２）
前記第１メッセージは、放送チャネル（ＢＣＨ）または追加的放送情報であり、
前記第１メッセージは、一つ以上の移動局に放送されることを特徴とする、項目１に記載のページングキャリア割当方法。
（項目３）
前記割当情報は、特定キャリアに前記ページングチャネルが割り当てられるか否かを示すフラグであることを特徴とする、項目１に記載のページングキャリア割当方法。
（項目４）
前記割当情報は、前記ページングキャリアの識別子または前記ページングキャリアのインデックスであることを特徴とする、項目１に記載のページングキャリア割当方法。
（項目５）
基本能力交渉要請メッセージまたは登録要請メッセージを受信する段階をさらに含み、
前記第１メッセージは、基本能力交渉応答メッセージまたは登録応答メッセージであることを特徴とする、項目１に記載のページングキャリア割当方法。
（項目６）
前記割当情報は、前記マルチキャリアに含まれた前記一つ以上のキャリアの総数を示す個数パラメータ、前記一つ以上のキャリアの識別子及び前記一つ以上のキャリアがそれぞれページングチャネルを含むか否かを示すページングキャリアサポートパラメータを含むことを特徴とする、項目５に記載のページングキャリア割当方法。
（項目７）
移動局から遊休モード進入を要請する登録解除要請メッセージを受信する段階と、
前記移動局に変更されたページングキャリア割当情報を含む登録解除命令メッセージを伝送する段階と、をさらに含む、項目５に記載のページングキャリア割当方法。
（項目８）
前記登録解除要請メッセージは、前記移動局が要求するページングキャリアに関する情報を含むことを特徴とする、項目７に記載のページングキャリア割当方法。
（項目９）
無線接続時ステムにおいてページングキャリアを割り当てる方法であって、
前記ページングキャリアに関する第１割当情報を含む第１メッセージを受信する段階と、
基地局に遊休モードに進入することを要請する第２メッセージを伝送する段階と、
前記基地局から、変更されたページングキャリアに関する第２割当情報を含む第３メッセージを受信する段階と、を含み、
前記ページングキャリアは、一つ以上のキャリアを含むマルチキャリアのうち、ページングチャネルを含むキャリアであることを特徴とする、ページングキャリア割当方法。
（項目１０）
前記第１割当情報は、前記ページングキャリアの識別子または前記ページングキャリアのインデックスであることを特徴とする、項目９に記載のページングキャリア割当方法。
（項目１１）
前記第１割当情報は、前記マルチキャリアに含まれた前記一つ以上のキャリアの総数を示す個数パラメータ、前記一つ以上のキャリアの識別子及び前記一つ以上のキャリアがそれぞれページングチャネルを含むか否かを示すページングキャリアサポートパラメータを含むことを特徴とする、項目９に記載のページングキャリア割当方法。
（項目１２）
前記第１メッセージは、基本能力応答メッセージまたは登録応答メッセージであり、
前記第２メッセージは、登録解除要請メッセージであり、
前記第３メッセージは、登録解除応答メッセージであることを特徴とする、項目９に記載のページングキャリア割当方法。
（項目１３）
無線接続時ステムにおいてページングキャリアを割り当てる方法であって、
基地局からページング識別子を含む第１メッセージを受信する段階と、
前記ページング識別子及び移動局の媒体接近制御アドレスを用いて前記ページングキャリアを獲得する段階と、を含み、
前記ページングキャリアは、一つ以上のキャリアを含むマルチキャリアのうち、ページングチャネルを含むキャリアであることを特徴とする、ページングキャリア割当方法。
（項目１４）
前記ページングキャリアを獲得する段階は、前記ページング識別子を前記媒体接近制御アドレスの所定の最下位ビットでモジューロ演算をして計算された値を用いて行われることを特徴とする、項目１３に記載のページングキャリア割当方法。
（項目１５）
無線接続時ステムにおいてページングキャリアを割り当てる方法であって、
基地局からページングキャリア情報を含む第１メッセージを受信する段階と、
前記ページングキャリア情報及び移動局の固有識別子を用いて前記ページングキャリアを獲得する段階と、を含み、
前記ページングキャリアは、一つ以上のキャリアを含むマルチキャリアのうち、ページングチャネルを含むキャリアであることを特徴とする、ページングキャリア割当方法。
（項目１６）
前記ページングキャリア情報は、前記基地局の可用ページングキャリアの個数、前記マルチキャリアのそれぞれに対するページングキャリア有無を指示するページングキャリア指示子、物理的キャリアインデックス及びページングキャリアインデックスのうちの少なくとも一つを含む、項目１５に記載のページングキャリア割当方法。
（項目１７）
前記ページングキャリアを獲得する段階は、前記可用ページングキャリアの個数を前記固有識別子でモジューロ演算をして計算された値を用いて行われることを特徴とする、項目１６に記載のページングキャリア割当方法。
（項目１８）
前記移動局の固有識別子は、ＭＡＣ  ＩＤ、Ｓｔａｔｉｏｎ  ＩＤ、ｔｅｍｐｏｒａｒｙ  ＩＤ、ｆｌｏｗ  ＩＤ、ＭＡＣ  ａｄｄｒｅｓ  ｓｈａｓｈのうちのいずれか一つであることを特徴とする、項目１６に記載のページングキャリア割当方法。
（項目１９）
前記第１メッセージは、ＡＡＩ＿ＭＣ−ＡＤＶ、ＡＡＩ＿ＮＢＲ−ＡＤＶ、ＰＧＩＤ  ｉｎｆｏｒｍａｔｉｏｎ及びＡＡＩ＿ＤＲＥＧ−ＣＭＤのうちのいずれか一つであることを特徴とする、項目１６に記載のページングキャリア割当方法。
（項目２０）
移動端末機であって、
外部から無線信号を受信するための受信部と、
無線信号を外部に伝送するための送信部と、
プロセッサーと、を含み、
前記受信部は、基地局からページングキャリアに関する第１割当情報を含む第１メッセージ及び変更されたページングキャリアに関する第２割当情報を含む第２メッセージを受信し、
前記プロセッサーは、前記端末が遊休モードに進入することを要請する第３メッセージを生成して前記送信部を介して前記基地局に伝送するように構成され、
前記ページングキャリアは、一つ以上のキャリアを含むマルチキャリアのうち、ページングチャネルを含むキャリアであることを特徴とする、移動端末機。
【発明の効果】
【００３６】
本発明の実施例によれば、下記の効果が得られる。
【００３７】
第一に、本発明の実施例を用いて效率的にページングキャリアを割り当てることができる。
【００３８】
第二に、ネットワークでマルチキャリア（Ｍｕｌｔｉ−ｃａｒｒｉｅｒ）を支援する場合、基地局は、各移動局にページングキャリアを效率的に割り当てることができる。
【００３９】
第三に、本発明の実施例を用いることによってマルチキャリア環境で無線リソース（例えば、キャリア）を效率的に使用することができる。
【００４０】
本発明の実施例で得られる効果は、以上に言及した効果に制限されず、言及していない他の効果は、以下の本発明の実施例についての記載から、本発明の属する技術の分野における通常の知識を有する者にとって明確に導出され、理解されるであろう。すなわち、本発明の出願段階で意図しない効果も、本発明の実施例から、当該技術分野における通常の知識を有する者により導出されることができる。
【図面の簡単な説明】
【００４１】
【図１】無線接続システムの一つであるＩＥＥＥ  ８０２．１６システムにおけるページング手順を示す図である。
【図２】本発明の一実施例として、マルチキャリア環境でページングチャネルを割り当てる方法を示す図である。
【図３】本発明の一実施例として、マルチキャリア環境でページンググループの構成を示す図である。
【図４】本発明の他の実施例として、ページングキャリアを割り当てる方法の一例を示す図である。
【図５】本発明の他の実施例として、ページングキャリアを割り当てる方法の他の例を示す図である。
【図６】本発明のさらに他の実施例として、基地局が移動局に割り当てたページングキャリアを変更する方法の一例を示す図である。
【図７】本発明のさらに他の実施例として、移動局がページングキャリアの変更を要請する方法の一例を示す図である。
【図８】本発明のさらに他の実施例として、移動局が遊休モードに進入した後にページングキャリアを割り当てる方法を示す図である。
【図９】本発明のさらに他の実施例として、移動局が暗黙的に自身に割り当てられたページングキャリアを確認する方法を示す図である。
【図１０】本発明のさらに他の実施例として、マルチキャリア環境でのページングキャリア割当方法の一例を示す図である。
【図１１】本発明のさらに他の実施例として、マルチキャリア環境でのページングキャリア割当方法の他の例を示す図である。
【図１２】本発明のさらに他の実施例として、マルチキャリア環境でのプライマリキャリア割当方法の一例を示す図である。
【図１３】本発明のさらに他の実施例として、送信端及び受信端構造の一例を示すブロック図である。
【発明を実施するための形態】
【００４２】
本発明は、無線接続システムに関するものである。また、本発明は、マルチキャリア環境でページングキャリアを割り当てる種々の方法を開示する。
【００４３】
下記の実施例は、本発明の構成要素及び特徴を所定の形態で結合したものである。各構成要素または特徴は、別の明示的な言及がない限り、選択的なものとして考慮することができる。各構成要素または特徴は、他の構成要素や特徴と結合しない形態で実施することもできる。また、一部の構成要素及び／または特徴を結合して本発明の実施例を構成することができる。本発明の実施例で説明される動作の順序は変更可能である。ある実施例の一部構成や特徴は、他の実施例に含まれることもでき、他の実施例の対応する構成または特徴に取って代わることもできる。
【００４４】
図面についての説明において、本発明の要旨を曖昧にさせる手順または段階などは記述せず、当業者のレベルで理解できる程度の手順または段階についても説明を省略するものとする。
【００４５】
本明細書において、本発明の実施例は、基地局と端末間のデータ送受信関係を中心に説明された。ここで、基地局は、端末と直接的に通信を行うネットワークの終端ノード（ｔｅｒｍｉｎａｌ  ｎｏｄｅ）の意味を有する。本文書で、基地局により行われると説明された特定動作は、場合によっては、基地局の上位ノード（ｕｐｐｅｒ  ｎｏｄｅ）により行われることもできる。
【００４６】
すなわち、基地局を含む多数のネットワークノード（ｎｅｔｗｏｒｋ  ｎｏｄｅｓ）からなるネットワークにおいて端末との通信のために行われる種々の動作は、基地局または基地局以外の別のネットワークノードにより行われることができる。ここで、‘基地局’は、固定局（ｆｉｘｅｄ  ｓｔａｔｉｏｎ）、Ｎｏｄｅ  Ｂ、ｅＮｏｄｅ  Ｂ（ｅＮＢ）、アクセスポイントなどの用語に代替可能である。また、‘移動局（ＭＳ：Ｍｏｂｉｌｅ  Ｓｔａｔｉｏｎ）’は、ＵＥ（Ｕｓｅｒ  Ｅｑｕｉｐｍｅｎｔ）、ＳＳ（Ｓｕｓｃｒｉｂｅｒ  Ｓｔａｔｉｏｎ）、ＭＳＳ（Ｍｏｂｉｌｅ  Ｓｕｂｓｃｒｉｂｅｒ  Ｓｔａｔｉｏｎ）または端末（Ｍｏｂｉｌｅ  Ｔｅｒｍｉｎａｌ）などの用語に代替可能である。
【００４７】
また、送信端は、データまたは音声サービスを伝送するノードを意味し、受信端は、データまたは音声サービスを受信するノードを意味する。したがって、アップリンクでは、端末が送信端となり、基地局が受信端となりうる。同様に、ダウンリンクでは、端末が受信端となり、基地局が送信端となりうる。
【００４８】
一方、本発明の移動局には、ＰＤＡ（Ｐｅｒｓｏｎａｌ  Ｄｉｇｉｔａｌ  Ａｓｓｉｓｔａｎｔ）、セルラーフォン、ＰＣＳ（Ｐｅｒｓｏｎａｌ  Ｃｏｍｍｕｎｉｃａｔｉｏｎ  Ｓｅｒｖｉｃｅ）フォン、ＧＳＭ（Ｇｌｏｂａｌ  Ｓｙｓｔｅｍ  ｆｏｒ  Ｍｏｂｉｌｅ）フォン、ＷＣＤＭＡ（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォンなどを用いることができる。
【００４９】
本発明の実施例は様々な手段を通じて具現することができる。例えば、本発明の実施例は、ハードウェア、ファームウェア（ｆｉｒｍｗａｒｅ）、ソフトウェアまたはそれらの結合などにより具現することができる。
【００５０】
ハードウェアによる具現の場合、本発明の実施例に係る方法は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサー、コントローラ、マイクロコントローラ、マイクロプロセッサーなどにより具現することができる。
【００５１】
ファームウェアやソフトウェアによる具現の場合、本発明の実施例に係る方法は、以上で説明された機能または動作を行うモジュール、手順または関数などの形態で具現することができる。ソフトウェアコードはメモリーユニットに記憶されてプロセッサーにより駆動されることができる。メモリーユニットは、プロセッサーの内部または外部に設けられて、公知の様々な手段によりプロセッサーとデータを交換することができる。
【００５２】
本発明の実施例は、無線接続システムであるＩＥＥＥ  ８０２システム、３ＧＰＰシステム、３ＧＰＰ  ＬＴＥシステム及び３ＧＰＰ２システムのうちの少なくとも一つに開示された標準文書によりサポートできる。すなわち、本発明の実施例において、本発明の技術的思想を明確にするために説明を省略した段階または部分は、上記の文書によりサポートできる。また、本文書で開示している用語はいずれも上記の標準文書により説明できる。特に、本発明の実施例は、ＩＥＥＥ  ８０２．１６システムの標準文書であるＰ８０２．１６−２００４、Ｐ８０２．１６ｅ−２００５及びＰ８０２．１６Ｒｅｖ２文書のうちの少なくとも一つによりサポートできる。
【００５３】
以下の説明で使われる特定用語は、本発明の理解を助けるために提供されたもので、それらの特定用語は、本発明の技術的思想を逸脱しない範囲で別の形態に取って代わることができる。
【００５４】
本発明の実施例はマルチキャリア（Ｍｕｌｔｉ−Ｃａｒｒｉｅｒ）方式を用いると想定する。したがって、移動局（ＭＳ：Ｍｏｂｉｌｅ  Ｓｔａｔｉｏｎ）及び基地局（ＢＳ：Ｂａｓｅ  Ｓｔａｔｉｏｎ）は、複数のキャリア（ｃａｒｒｉｅｒ）を用いて效率的に通信を行うことができる。本発明の実施例は、無線接続システムの一つであるＩＥＥＥ  ８０２．１６ｅ／ｍ網（及び／または３ＧＰＰ  ＬＴＥ）に限定されず、その他の無線接続技術にも適用可能である。
【００５５】
まず、マルチキャリア環境で適用可能な２タイプのキャリアを定義する。
【００５６】
マルチキャリア環境では下記のような２タイプのキャリアを定義する。
【００５７】
まず、主キャリア（または、第１キャリア、ｐｒｉｍａｒｙ  ｃａｒｒｉｅｒ）とは、端末と基地局のトラフィック、完全な物理層及び媒体接続制御層制御情報（ｆｕｌｌ  ＰＨＹ／ＭＡＣ  ｃｏｎｔｒｏｌ  ｉｎｆｏｒｍａｔｉｏｎ）の交換が行われるキャリアのことをいう。また、主キャリアは、ネットワーク進入のような端末の一般的な動作にも使用されることができる。各端末は、一つのセルで一つの主キャリアを有する。
【００５８】
そして、補助キャリア（Ｓｅｃｏｎｄａｒｙ  ｃａｒｒｉｅｒ）とは、通常、主キャリアから受信される基地局特定の割当命令及び法則に従うトラフィックの交換に使用可能な付加的なキャリアのことをいう。
【００５９】
この主キャリア（ｐｒｉｍａｒｙ  ｃａｒｒｉｅｒ）及び補助キャリア（ｓｅｃｏｎｄａｒｙ  ｃａｒｒｉｅｒ）に基づいてマルチキャリア（ｍｕｌｔｉ−ｃａｒｒｉｅｒ）システムのキャリアを下記のようにそれぞれ設定することができる。
【００６０】
まず、完全構成のキャリア（Ｆｕｌｌｙ  ｃｏｎｆｉｇｕｒｅｄ  ｃａｒｒｉｅｒ）は、同期化、放送、マルチキャスト及びユニキャスト制御チャネルを含む全ての制御シグナリングが設定されるキャリアのことをいう。また、これらの制御チャネルにマルチキャリア運用及び他のキャリアに関する情報及びパラメータが含まれることができる。
【００６１】
次に、部分構成のキャリア（Ｐａｒｔｉａｌｌｙ  ｃｏｎｆｉｇｕｒｅｄ  ｃａｒｒｉｅｒ）は、マルチキャリア環境でトラフィック交換を支援するための必須な制御チャネル設定のみを有するキャリアのことをいう。
【００６２】
ここで、主キャリアは、完全構成のキャリアとしなければならない。ところが、補助キャリアは、チャネル状況及びユーザー要求事項に応じて完全構成のキャリアまたは部分構成のキャリアとすることができる。また、任意のＭＳ（Ｍｏｂｉｌｅ  Ｓｔａｔｉｏｎ）は、セル内の完全構成のキャリアのうちの一つのキャリアが主キャリアに設定されると、これによって制御されることができる。なお、端末は、データ伝送のために多数の補助キャリア（ｍｕｌｔｉｐｌｅ  ｓｅｃｏｎｄａｒｙ  ｃａｒｒｉｅｒｓ）を動的（ｄｙｎａｍｉｃ）に使用することができる。
【００６３】
一般に、移動局は主キャリアを用いて全ての制御情報及び補助キャリアに関する情報まで獲得することができる。また、移動局及び基地局は補助キャリアを用いてデータを送受信することができる。本発明の実施例で特定移動局に設定された完全構成の補助キャリア（ＦＣＳＣ：Ｆｕｌｌｙ  Ｃｏｎｆｉｇｕｒｅｄ  Ｓｅｃｏｎｄａｒｙ  Ｃａｒｒｉｅｒ）は、他の移動局の主キャリアとして設定されることができる。
【００６４】
図１は、無線接続システムのうちの一つであるＩＥＥＥ  ８０２．１６システムにおけるページング手順を示す図である。
【００６５】
遊休モード（Ｉｄｌｅ  Ｍｏｄｅ）においてページングはページンググループ単位に行われることができる。例えば、移動局（ＭＳ：Ｍｏｂｉｌｅ  Ｓｔａｔｉｏｎ）は、一つあるいは複数個のページンググループに属することができる。各ページンググループのページング制御器（ＰＣ：Ｐａｇｉｎｇ  Ｃｏｎｔｒｏｌｌｅｒ）は、呼（Ｃａｌｌ）や外部網から移動端末に伝送するユーザーパケット（Ｕｓｅｒ  Ｐａｃｋｅｔ）が入る場合、移動端末を探すページングを行う。この時、ページング制御器は、ページンググループ内の全ての基地局にページングメッセージを伝達し、これを受信した各基地局は移動局にページング広告（ＭＯＢ＿ＰＡＧ−ＡＤＶ）メッセージをブロードキャストする方式でページングを行うことができる。
【００６６】
図１を参照すると、移動局は、一般モード（Ｎｏｒｍａｌ  ｍｏｄｅ）から遊休モードに進入するために、サービング基地局（ＳＢＳ：Ｓｅｒｖｉｎｇ  ＢＳ）に登録解除要請（ＭＯＢ＿ＤＲＥＧ−ＲＥＱ）メッセージを伝送する（Ｓ１０１）。
【００６７】
登録解除要請メッセージを受信したサービング基地局（ＳＢＳ）はページング制御器と端末情報及びサービング基地局情報を送受信することができる。すなわち、サービング基地局は、遊休モードに進入する移動局識別子（ＭＳＩＤ）及びサービング基地局識別子（ＢＳＩＤ）をページング制御器に知らせることができる。また、ページング制御器は、ページンググループ識別子（Ｐａｇｉｎｇ  Ｇｒｏｕｐ  ＩＤ）またはページング制御器識別子情報をサービング基地局に知らせることができる。ページンググループ識別子またはページング制御器識別子は、ページングメッセージを送受信するのに使用されることができる（Ｓ１０２）。
【００６８】
サービング基地局は登録解除要請メッセージに対する応答として登録解除命令（ＭＯＢ＿ＤＲＥＧ−ＣＭＤ）メッセージを移動局に伝送することができる。登録解除命令メッセージはページング情報を含むことができる。ここで、ページング情報は、ページング周期（Ｐａｇｉｎｇ  Ｃｙｃｌｅ）パラメータ、ページングオフセット（Ｐａｇｉｎｇ  Ｏｆｆｓｅｔ）パラメータ及びページング聴取区間（Ｐａｇｉｎｇ  Ｌｉｓｔｅｎ  Ｉｎｔｅｒｖａｌ）パラメータを含むことができる。また、登録解除命令メッセージは、ページング制御器識別子（ＰＣＩＤ：Ｐａｇｉｎｇ  Ｃｏｎｔｒｏｌｌｅｒ  ＩＤ）及びページンググループ識別子（ＰＧＩＤ：Ｐａｇｉｎｇ  Ｇｒｏｕｐ  ＩＤ）をさらに含むことができる（Ｓ１０３）。
【００６９】
ＭＯＢ＿ＤＲＥＧ−ＣＭＤメッセージを受信した移動局は遊休モードに進入することができる。移動局は、ＭＯＢ＿ＤＲＥＧ−ＣＭＤメッセージに含まれたページング情報を用いてページングメッセージを受信することができる。すなわち、移動局は、ページング聴取区間の間に自身に伝達されるページングメッセージがあるか否か無線チャネル（Ｃｈａｎｎｅｌ）をモニタすることができる。それ以外の残りの時間では移動局は睡眠モード（Ｓｌｅｅｐ  ｍｏｄｅ  ｏｒ  Ｒａｄｉｏ  Ｔｕｒｎ  ｏｆｆ）で動作してバッテリー（Ｐｏｗｅｒ）消耗を減らすことができる（Ｓ１０４）。
【００７０】
ページング制御器に呼びまたは外部パケットが入ることができる（Ｓ１０５）。
【００７１】
ページング制御器は、呼または外部パケットを受信した場合、ページング手順を行うことができる。この時、ページング制御器はページンググループ内の全ての基地局にページングメッセージを伝達する（Ｓ１０６）。
【００７２】
ページングメッセージを受信したページンググループ内の基地局は、自身が管理する移動局にＭＯＢ＿ＰＡＧ−ＡＤＶメッセージをブロードキャストする（Ｓ１０７）。
【００７３】
移動局は、ＭＯＢ＿ＰＡＧ−ＡＤＶメッセージを確認し、ページング制御器が自身をページングした場合、一般モードに進入してサービング基地局と通信を行うことができる（Ｓ１０８、Ｓ１０９）。
【００７４】
図１で説明したメッセージ及び手順を、以下に説明する本発明の実施例に適用することができる。
【００７５】
１．マルチキャリア（Ｍｕｌｔｉ−Ｃａｒｒｉｅｒ）環境でのページングチャネル割当方法
図２は、本発明の一実施例として、マルチキャリア環境でページングチャネルを割り当てる方法を示す図である。
【００７６】
本発明の一実施例で、基地局は、所定個数（例えば、Ｎ個）のマルチ無線周波数キャリア（Ｍｕｌｉｐｌｅ  Ｒａｄｉｏ  Ｆｒｅｑｕｅｎｃｙ  Ｃａｒｒｉｅｒｓ）を有しており、各キャリアはページングのために所定個数（例えば、Ｌ個）の移動局（ＭＳｓ）を収容することができるとする。この場合、基地局またはネットワークオペレータ（Ｎｅｔｗｏｒｋ  ｏｐｅｒａｔｏｒ）は、ページングを行う移動局の個数によってページングチャネルを含むキャリアの数を決定することができる。
【００７７】
もし、Ｎ個のキャリアのうちのＭ（≦Ｎ）個のキャリアにページングチャネルが割り当てられるとすれば、基地局は、最大Ｍ＊Ｌ個の移動局にページングサービスを提供することができる。図２では、基地局が４個のマルチキャリアを運用する場合を示す。この場合、第１キャリア（Ｃａｒｒｉｅｒ  １）及び第３キャリア（Ｃａｒｒｉｅｒ  ３）にページングチャネルが割り当てられている。本発明の実施例で、マルチキャリアのうち、ページングチャネルが割り当てられたキャリアを、ページングキャリア（Ｐａｇｉｎｇ  Ｃａｒｒｉｅｒ）と呼ぶことができる。本発明では、上述したマルチキャリアの分類のうち、完全構成のキャリアにページングチャネルが割り当てられることを基本とする。すなわち、ページングキャリアは、完全構成のキャリアであると好ましい。
【００７８】
図３は、本発明の一実施例として、マルチキャリア環境でのページンググループの構成を示す図である。
【００７９】
図３で、一つの基地局は一つ以上のページンググループに含まれることができる。ページンググループは、チャネル環境またはユーザーの要求事項によってそのカバレッジが変わることができる。図３を参照すると、第１ページンググループ領域は、速い移動性を持つ移動局に割り当てられることができる。第２ページンググループ領域は、少ない移動性を有したり停止している移動局に割り当てられることができる。第３ページンググループは、移動性が大きく且つ活動半径が大きい移動端末に割り当てられることができる。
【００８０】
第２ページンググループ及び第３ページンググループはそれぞれ、スモールページンググループ（ＳＰＧ：Ｓｍａｌｌ  Ｐａｇｉｎｇ  Ｇｒｏｕｐ）及びラージページンググループ（ＬＰＧ：Ｌａｒｇｅ  Ｐａｇｉｎｇ  Ｇｒｏｕｐ）として運用することができる。すなわち、第３ページンググループ内には一つ以上の第２ページンググループが含まれることができ、第２ページンググループに含まれた移動局の移動性が大きくなる場合、該移動局は第３ページンググループへと位置更新を行うことができる。
【００８１】
図３で、基地局は、広い範囲を有する第１ページンググループに、図２の第１キャリア（Ｃａｒｒｉｅｒ  １）を割り当て、狭い範囲を有する第２ページンググループに図２の第２キャリア（Ｃａｒｒｉｅｒ  ２）または第４キャリア（Ｃａｒｒｉｅｒ  ４）を割り当てることができる。また、基地局は、広い範囲を有する第３ページンググループに図２の第３キャリア（Ｃａｒｒｉｅｒ  ３）を割り当てることができる。
【００８２】
図３を参照すると、移動局が遊休モード（Ｉｄｌｅ  Ｍｏｄｅ）に遷移する時、基地局は移動局に適当なページングキャリアを割り当てることができる。例えば、基地局は、低速の移動局には第２キャリアを割り当てることができ、高速の移動局には第１キャリアまたは第３キャリアを割り当てることができる。ここで、第１キャリア及び第３キャリアはページングキャリアを意味する。
【００８３】
また、基地局及び移動局は、移動局が遊休モードに進入した後、移動局の移動性（Ｍｏｂｉｌｉｔｙ）によって移動局のページングキャリアを変更することができる。例えば、遊休モードに進入した移動局が、初期には移動性がないため第２キャリアが割り当てられたが、以降、移動局が高速で移動して位置更新を頻繁に行うことができる。このような場合、基地局は、広いページング領域をカバーするページングキャリア（例えば、ｃａｒｒｉｅｒ  １、３）を移動局に再割当することができる。もちろん、移動局が自身の移動性が増加することから基地局に直接ページンググループまたはページングキャリアの変更を要請することができる。
【００８４】
２．ページングキャリア割当方法
図４は、本発明の他の実施例として、ページングキャリアを割り当てる方法の一例を示す図である。
【００８５】
基地局は、チャネル環境またはユーザーの要求事項に応じて移動局にページングキャリアを割り当てることができる。この時、基地局は、マルチキャリアのうちのいずれのキャリアがページングチャネルを含んでいるかを移動局に指示（Ｉｎｄｉｃａｔｉｏｎ）することができる。
【００８６】
図４の（ａ）は、フラグ（ｆｌａｇ）を用いてページングチャネルを指示する方法を示す。基地局は、放送チャネル（ＢＣＨ：Ｂｒｏａｄｃａｓｔ  Ｃｈａｎｎｅｌ）または追加的放送情報（Ａｄｄｉｔｉｏｎａｌ  Ｂｒｏａｄｃａｓｔ  Ｃｈａｎｎｅｌ）を通じて移動局にマルチキャリア別にそれぞれページングチャネルの有無を指示することができる（Ｓ４１０）。
【００８７】
例えば、放送チャネルまたは追加的放送情報に含まれたフラグの値が‘０’である場合、該当のキャリアはページングチャネルを有していないことを示し、フラグの値が‘１’である場合、該当のキャリアはページングチャネルを有していることを示す。
【００８８】
図４の（ａ）で、移動局が遊休モードに進入することができる（Ｓ４３０）。
【００８９】
この場合、基地局は移動局に放送チャネルまたは追加的放送情報を用いてページングチャネルを割り当てたり、ページングチャネルの割り当てられたキャリアのうち、変更されたキャリアを移動局に知らせることができる。すなわち、基地局は、ページングキャリアが変更されたことを示すフラグを含む放送チャネルを伝送することができる（Ｓ４５０）。
【００９０】
図４の（ｂ）は、基地局がページングキャリアインデックス（Ｐａｇｉｎｇ  Ｃａｒｒｉｅｒ  Ｉｎｄｅｘ）を用いて、ページングチャネルを含むマルチキャリアを割り当てる方法を示す。
【００９１】
図４の（ｂ）を参照すると、基地局は、ページングキャリアインデックスを含む放送チャネルまたは追加的放送情報を移動局に伝送することができる（Ｓ４２０）。
【００９２】
ページングキャリアインデックスとは、マルチキャリアのうち、ページングチャネルを含むページングキャリアに対するインデックスのことをいう。下記の表１は、ページングキャリアインデックスフォーマットの一例を表す。
【００９３】
【表１】
0005178916.tif 000002
【００９４】
表１は、基地局が運用しているｎ個のマルチキャリアのうち、ページングチャネルを含んでいるキャリアに対するインデックス（例えば、ｃａｒｒｉｅｒ  １，ｃａｒｒｉｅｒ  ３，…，ｃａｒｒｉｅｒ  ｎ）を表す。すなわち、基地局は、ページングキャリアインデックスを用いてどのキャリアがページングチャネルを含むかを移動局に知らせることができる。
【００９５】
また、図４の（ｂ）を参照すると、移動局は遊休モードに進入することができる（Ｓ４４０）。
【００９６】
この場合、基地局は移動局にページングチャネルを割り当てたり、ページングチャネルの割り当てられたキャリアのうち、変更されたキャリアを指示することができる。すなわち、基地局は、移動局の遊休モード進入時に新しく割り当てたページングキャリアまたは移動局の遊休モード進入時に変更したページングキャリアを示すページングキャリア識別子ページングキャリアインデックスを含む放送チャネルまたは追加的放送情報を移動局に伝送することができる（Ｓ４６０）。
【００９７】
図５は、本発明の他の実施例として、ページングキャリアを割り当てる方法の他の例を示す図である。
【００９８】
図５は、基地局がユニキャスト形式で特定移動局に割り当てられたマルチキャリアにページングチャネルが含まれているか否かを指示する方法を示す。
【００９９】
図５の（ａ）を参照すると、移動局は基地局に最初に接続する時に基本能力要請（ＳＢＣ−ＲＥＱ：Ｓｕｂｓｃｒｉｂｅｒ  Ｓｔａｔｉｏｎ  Ｂａｓｉｃ  Ｃａｐａｂｉｌｉｔｙ  Ｒｅｑｕｅｓｔ）メッセージを伝送することによって、基地局と基本能力を交渉することができる（Ｓ５１０）。
【０１００】
基地局は、チャネル環境またはユーザーの要求事項に応じて移動局にページングキャリアを割り当てることができる。この時、基地局は、マルチキャリアのうちのいずれのキャリアがページングチャネルを含んでいるかを移動局にページングキャリアサポートパラメータを通じて指示（Ｉｎｄｉｃａｔｉｏｎ）することができる。
【０１０１】
例えば、基地局が一つのページンググループに属する場合、基地局の全てのキャリアは同一のページンググループ識別子（Ｐａｇｉｎｇ  Ｇｒｏｕｐ  ＩＤ）を有し、このとき、ページングキャリアサポートパラメータを通じて基地局が支援するキャリアのうち、ページングメッセージが伝送されるキャリアを端末に指示することができる。また、基地局が一つ以上のページンググループに属する場合、基地局が支援するキャリアは、異なるページンググループ識別子を有することができ、この時、ページングキャリアサポートパラメータを通じて、基地局が支援するキャリアのうち、ページングメッセージが伝送されるキャリアを、ページンググループ別に端末に指示することができる。すなわち、基地局は、ページングキャリアサポートパラメータを含む基本能力応答（ＳＢＣ−ＲＳＰ：ＳＳ  Ｂａｓｉｃ  Ｃａｐａｂｉｌｉｔｙ  Ｒｅｓｐｏｎｓｅ）メッセージを移動局に伝送することができる（Ｓ５３０）。
【０１０２】
また、本発明で提案したページングキャリアサポートパラメータは、ＳＢＣ−ＲＳＰメッセージの他、他の放送メッセージ（ａｄｄｉｔｉｏｎａｌ  ｂｒｏａｄｃａｓｔ  ｍｅｓｓａｇｅ）を通じて端末に伝達することもできる。それらのメッセージの例には、ＮＢＲ−ＡＤＶ、ＭＣ（Ｍｕｌｔｉ−Ｃａｒｒｉｅｒ）−ＡＤＶメッセージ、ＰＧＩＤ＿Ｉｎｆｏｒｍａｔｉｏｎなどがある。
【０１０３】
特に、ＰＧＩＤ＿Ｉｎｆｏｒｍａｔｉｏｎフォーマットの一例を、表２を参照して説明する。
【０１０４】
【表２】
0005178916.tif 000003
【０１０５】
表２を参照すると、ＰＧＩＤ＿Ｉｎｆｏｒｍａｔｉｏｎには物理的キャリアの個数及び各物理的キャリアのインデックスを表すフィールドが含まれることができ、ページングキャリアサポートフィールドを通じて該当のキャリアにページングチャネルが存在するか否かを指示することができる。
【０１０６】
上記のＰＧＩＤ＿Ｉｎｆｏｒｍａｔｉｏｎは、下記の表３のようにＮＢＲ−ＡＤＶメッセージに含まれて隣接基地局情報の形態で端末に伝送されることができる。
【０１０７】
下記の表３は、本発明の他の実施例として、ＮＢＲ−ＡＤＶメッセージにＰＧＩＤ＿Ｉｎｆｏｒｍａｔｉｏｎが含まれる形態の一例を表す。
【０１０８】
【表３】
0005178916.tif 000004
【０１０９】
次に、ＭＣ−ＡＤＶメッセージに  ｐａｇｉｎｇ  ｃａｒｒｉｅｒ  ｓｕｐｐｏｒｔパラメータが含まれる形態を表４を参照して説明する。
【０１１０】
【表４】
0005178916.tif 000005
【０１１１】
表４を参照すると、ＭＣ−ＡＤＶメッセージにキャリア別にＰＧＩＤ及びｐａｇｉｎｇ  ｃａｒｒｉｅｒ  ｓｕｐｐｏｒｔフィールドが含まれて、端末に該当のキャリアがページングチャネルを含むか否かを知らせることができる。
【０１１２】
端末は、ＰＧＩＤ  ｉｎｆｏｒｍａｔｉｏｎ、ＮＢＲ−ＡＤＶまたはＭＣ−ＡＤＶメッセージを通じて受信したキャリア情報（Ｐａｇｉｎｇ  Ｃａｒｒｉｅｒ  ｓｕｐｐｏｒｔ、ＰＧＩＤ、Ｃａｒｒｉｅｒ  ｉｎｄｅｘ）に基づいて、同一のページンググループ内で支援するキャリアのうち、ページングキャリアを支援するキャリアの個数（Ｎ）を確認することができる。これにより、端末は、下記の式により、自身の属するページンググループ内でページングメッセージを受信するためにどのキャリアをモニタしなければならないかが暗示的にわかる。
【０１１３】
Ｐａｇｉｎｇ  ＩＤ  （Ｔｅｍｐｏｒａｒｙ  ＩＤ）％  Ｎ（Ｐａｇｉｎｇ  Ｃａｒｒｉｅｒを支援するキャリア数、即ちページングメッセージが伝送されるキャリアの個数）  ＝＝  ＡＭＳ  Ｐａｇｉｎｇ  Ｃａｒｒｉｅｒ’ｓ  ｉｎｄｅｘ
下記の表５は、Ｓ５３０段階で使用される基本能力応答（ＳＢＣ−ＲＳＰ）メッセージフォーマットの一例を表す。
【０１１４】
【表５】
0005178916.tif 000006
【０１１５】
表５を参照すると、基本能力応答メッセージは、マルチキャリアの総数を表すキャリア個数（Ｎ＿Ｃａｒｒｉｅｒｓ）パラメータ、マルチキャリアの各キャリアの識別子（Ｃａｒｒｉｅｒ  ＩＤ）及び各キャリアがページングチャネルを含むか否かを表すページングキャリアサポート（ページングキャリアサポート）パラメータを含むことができる。
【０１１６】
表５で、ページングキャリアサポートパラメータは、１ビットの大きさを有することができる。ここで、ページングキャリアサポートパラメータが‘０’の時は、該当のキャリアにページングチャネルが割り当てられていないことを表し、‘１’の時は、該当のキャリアがページングチャネルを含んでいることを表すことができる。
【０１１７】
図５の（ｂ）は、移動局が基地局に登録する過程において基地局からページングチャネルインデックスが割り当てられる場合を示す。図５の（ｂ）を参照すると、移動局は、登録手順を行うために基地局に登録要請（ＲＥＧ−ＲＥＱ）メッセージを伝送することができる（Ｓ５２０）。
【０１１８】
基地局は移動局にマルチキャリアを割り当てることができる。この時、基地局は、移動局に割り当てられたキャリア及びページングチャネルを含むキャリアに関する情報を移動局に知らせなければならない。したがって、基地局は、ページングチャネルインデックスを含む登録応答（ＲＥＧ−ＲＳＰ）メッセージを伝送することができる（Ｓ５４０）。
【０１１９】
下記の表６は、Ｓ５４０段階で使用される登録応答（ＲＥＧ−ＲＳＰ）メッセージフォーマットの一例を表す。
【０１２０】
【表６】
0005178916.tif 000007
【０１２１】
表６で、登録応答メッセージに含まれたパラメータは、表５を参照することができる。
【０１２２】
図５で説明した実施例の他の側面として、基地局はＳ５３０及びＳ５４０段階で使用されるＳＢＣ−ＲＳＰメッセージまたはＲＥＧ−ＲＳＰメッセージに代わり、表１で説明したページングチャネルインデックスを用いて移動局にページングチャネルの割当有無を指示することができる。すなわち、基地局は、ページングチャネルの割り当てられたキャリアを示すページングキャリア識別子ページングキャリアインデックスを含むＳＢＣ−ＲＳＰまたはＲＥＧ−ＲＳＰメッセージを移動局に伝送することができる。
【０１２３】
３．ページングキャリア変更方法
図６は、本発明のさらに他の実施例として、基地局が移動局に割り当てたページングキャリアを変更する方法の一例を示す図である。
【０１２４】
基地局（ＢＳ）は、移動局が遊休モードに遷移する時にページングキャリアを変更することができる。図６に、基地局が移動局にページングキャリア（Ｐａｇｉｎｇ  ｃａｒｒｉｅｒ）を割り当てる方法を示す。
【０１２５】
移動局（ＭＳ）は基地局（ＢＳ）に基本能力交渉のためにＳＢＣ−ＲＥＱメッセージを伝送することができる（Ｓ６１０）。
【０１２６】
基地局は移動局にチャネル環境またはユーザーの要求事項に応じてページングキャリアを割り当てることができる（Ｓ６２０）。
【０１２７】
基地局は移動局にページングキャリアを知らせるためにＳＢＣ−ＲＳＰメッセージを伝送することができる。この時、使用されるＳＢＣ−ＲＳＰメッセージは、Ｓ５３０段階で使用したＳＢＣ−ＲＳＰメッセージとすることができる（Ｓ６３０）。
【０１２８】
移動局が基地局のセル領域に移動した後に、移動局は遊休モードに進入することができる。したがって、移動局は遊休モードに進入するために登録解除要請（ＤＲＥＱ−ＲＥＱ）メッセージを基地局に伝送することができる（Ｓ６４０）。
【０１２９】
基地局は、移動局が遊休モードに遷移しようとする場合に移動局にページングキャリアを割り当てたり、既存に割り当てられたページングキャリアを維持したり、または割り当てられたページングキャリアを変更することができる（Ｓ６５０）。
【０１３０】
本発明の実施例では、基地局がＳ６２０段階で割り当てたページングキャリアを変更する場合を仮定する。したがって、基地局は変更されたページングキャリアを移動局に知らせるために登録解除命令（ＤＲＥＧ−ＣＭＤ）メッセージを移動局に伝送することができる（Ｓ６６０）。
【０１３１】
下記の表７は、本発明の実施例で使用する登録解除命令メッセージフォーマットの一例を表す。
【０１３２】
【表７】
0005178916.tif 000008
【０１３３】
表７を参照すると、登録解除命令メッセージは、移動局に割り当てられたページングキャリアを示すページングキャリア識別子（Ｐａｇｉｎｇ  Ｃａｒｒｉｅｒ  ＩＤ）またはページングキャリアインデックス（Ｐａｇｉｎｇ  Ｃａｒｒｉｅｒ  Ｉｎｄｅｘ）を含むことができる。
【０１３４】
図７は、本発明のさらに他の実施例として、移動局がページングキャリアの変更を要請する方法の他の例を示す図である。
【０１３５】
図７のＳ７１０段階乃至Ｓ７３０段階は、Ｓ６１０段階乃至Ｓ６３０段階と同一または類似している。したがって、これらの段階についての説明は、図６を参照するものとする。
【０１３６】
ただし、図７は、移動局（ＭＳ）が、所望のページングキャリアを決定して基地局に知らせることができる。例えば、移動局が遊休モードに進入する場合、移動局が所望するページングキャリアを決定して基地局登録解除要請（ＤＲＥＧ−ＲＥＱ）メッセージを通じて知らせることができる（Ｓ７４０）。
【０１３７】
下記の表８は、Ｓ７４０段階で使用する登録解除要請メッセージフォーマットの一例を表す。
【０１３８】
【表８】
0005178916.tif 000009
【０１３９】
表８を参照すると、ＤＲＥＧ−ＲＥＱメッセージは、移動局が所望するページングキャリアの識別子またはページングキャリアインデックス（ｏｐｔｉｏｎａｌ）を含むことができる。
【０１４０】
ＤＲＥＧ−ＲＥＱメッセージを受信した基地局は、移動局の要請に応じてページングキャリアを変更するか否かを決定することができる（Ｓ７５０）。
【０１４１】
基地局は、移動局に割り当てたページングキャリアを変更する場合、変更されたページングキャリア識別子または変更されたページングキャリアインデックスを含む登録解除命令メッセージを移動局に伝送することができる（Ｓ７６０）。
【０１４２】
図８は、本発明のさらに他の実施例として、基地局が遊休モードに進入した移動局にページングキャリアを割り当てる方法を示す図である。
【０１４３】
図８を参照すると、移動局（ＭＳ）は遊休モードに進入するために基地局（ＢＳ）に登録解除要請（ＤＲＥＧ−ＲＥＱ）メッセージを伝送する（Ｓ８１０）。
【０１４４】
基地局は移動局にページングキャリアを割り当て（Ｓ８２０）、移動局に割り当てたページングキャリアを示すページングキャリア識別子またはページングキャリアインデックスを含む登録解除命令（ＤＲＥＧ−ＣＭＤ）メッセージを移動局に伝送することができる（Ｓ８３０）。
【０１４５】
登録解除命令メッセージを受信した移動局は遊休モードに進入し、移動局に割り当てられたページングキャリアを用いてページング聴取期間の間にページングメッセージを受信することができる（Ｓ８４０）。
【０１４６】
移動局は遊休モードに進入した後、周期的にまたは位置更新（Ｌｏｃａｔｉｏｎ  ｕｐｄａｔｅ）条件を満たす場合に、ネットワーク（例えば、ＢＳ及び／またはページング制御器）に位置更新を行うことができる。
【０１４７】
遊休モード状態にある移動局は、様々な始発条件によって位置更新を行うことができる。例えば、移動局は、移動局、基地局またはページング制御器が有している位置更新タイマーが満了すると、時間に基づく位置更新（Ｔｉｍｅｒ  ｂａｓｅｄ  ｌｏｃａｔｉｏｎ  ｕｐｄａｔｅ）を行うことができる。また、移動局は、自身のページンググループが変更される場合、ページンググループ位置更新（Ｐａｇｉｎｇ  ｇｒｏｕｐ  ｌｏｃａｔｉｏｎ  ｕｐｄａｔｅ）を行うことができる。また、移動局は、電源をオフ（Ｏｆｆ）する前に電力ダウン位置更新（Ｐｏｗｅｒ  ｄｏｗｎ  ｌｏｃａｔｉｏｎ  ｕｐｄａｔｅ）を行うことができる。また、移動局は、ＭＡＣハッシュスキップ臨界値更新（ＭＡＣ  ｈａｓｈ  ｓｋｉｐ  ｔｈｒｅｓｈｏｌｄ  ｕｐｄａｔｅ）などの位置更新を行うことができる。また、本発明の実施例で、移動局は現在自身が使用するページングキャリアではなく他のページングキャリアを使用するページンググループ領域へ移動する場合、位置更新を行うことができる。
【０１４８】
再び図８を参照すると、移動局が、Ｓ８２０段階で割り当てられたページングキャリアを使用するページンググループから他のページンググループへ移動することができる。この場合、移動局は位置更新を行うためにレンジング要請（ＭＯＢ＿ＲＮＧ−ＲＥＱ）メッセージを基地局に伝送することができる（Ｓ８５０）。
【０１４９】
Ｓ８５０段階でレンジング要請メッセージを受信した基地局は、移動局に新しいページングキャリアを割り当てることができる。したがって、基地局は、新しく割り当てたページングキャリア識別子またはページングキャリアインデックスを含むレンジング応答メッセージを移動局に伝送することができる（Ｓ８６０）。
【０１５０】
下記の表９は、Ｓ８６０段階で使用されるレンジング応答メッセージフォーマットの一例を表す。
【０１５１】
【表９】
0005178916.tif 000010
【０１５２】
表９を参照すると、レンジング応答メッセージは、基地局が端末に新しく割り当てたページングキャリアの識別子（Ｐａｇｉｎｇ  Ｃａｒｒｉｅｒ  ＩＤ）または新しく割り当てたページングキャリアに対するインデックス（Ｐａｇｉｎｇ  Ｃａｒｒｉｅｒ  Ｉｎｄｅｘ）を含むことができる。
【０１５３】
図８の他の側面として、移動局が、Ｓ８２０段階で割り当てられたページングキャリアと他のページングキャリアを使用するページンググループへ移動する場合、移動局がページングキャリアの変更を基地局に要請することができる。
【０１５４】
この場合、移動局は、Ｓ８５０段階で、自身が所望するページングキャリアの識別子またはページングキャリアインデックスを含むレンジング要請（ＭＯＢ＿ＲＮＧ−ＲＥＱ）メッセージを基地局に伝送することができる。
【０１５５】
下記の表１０は、移動局がページングキャリアの変更を要請する場合に使用されるレンジング要請メッセージフォーマットの一例を表す。
【０１５６】
【表１０】
0005178916.tif 000011
【０１５７】
表１０を参照すると、レンジング要請メッセージは、基地局が端末に新しく割り当てたページングキャリアの識別子（Ｐａｇｉｎｇ  Ｃａｒｒｉｅｒ  ＩＤ）または新しく割り当てたページングキャリアに対するインデックス（Ｐａｇｉｎｇ  Ｃａｒｒｉｅｒ  Ｉｎｄｅｘ）を含むことができる。
【０１５８】
上記の表７乃至表１０で言及されたページングキャリアインデックスとページングキャリアにマッピングされるページンググループ識別子情報は、追加的放送メッセージを通じて端末に伝送されることもできる。このようなメッセージの例に、ＮＢＲ−ＡＤＶ、ＭＣ−ＡＤＶメッセージなどがある。
【０１５９】
図８のさらに他の側面として、移動局及び基地局は、位置更新手順を通じて、移動局に割り当てたページングキャリアを変更することができる。例えば、移動局が遊休モードに進入した直後には移動がほとんどないから、基地局から小さいページンググループをカバーするページングキャリアが割り当てられた。しかし、所定時間が経過して移動局が高速で移動する場合、移動局は位置更新を頻繁に行うことができる。したがって、移動局には基地局から大きいページンググループをカバーするページングキャリアが再び割り当てられることが好ましい。
【０１６０】
または、移動局が遊休モードに進入する時には、大きいページンググループ（Ｌａｒｇｅ  ｐａｇｉｎｇ  ｇｒｏｕｐ）領域をカバーするページングキャリアが割り当てられるが、所定の時間が経過した後に、移動局は、移動がほとんどない、または、特定地域に続けて留まることがある。この場合、移動局に割り当てられた大きいページンググループを小さいページンググループ（Ｓｍａｌｌ  ｐａｇｉｎｇ  ｇｒｏｕｐ）に変更することが好ましい。したがって、基地局が小さいページング領域をカバーするページングキャリアに変更して割り当てる、または、移動局がページングキャリアの変更を要請することができる。
【０１６１】
この場合、移動局及び基地局で位置更新を行うために使用するレンジング応答メッセージ及びレンジング要請メッセージは、表６及び表７で説明したレンジング応答メッセージ及びレンジング要請メッセージを用いることができる。
【０１６２】
図９は、本発明のさらに他の実施例として、移動局が暗黙的に自身に割り当てられたページングキャリアを確認する方法を示す図である。
【０１６３】
図９を参照すると、移動局（ＭＳ）は、基地局（ＢＳ）から割り当てられたページング識別子（Ｐａｇｉｎｇ  ＩＤ）を自身の媒体接近制御アドレス（ＭＡＣ：Ｍｅｄｉｕｍ  Ａｃｅｅｓｓ  Ｃｏｎｔｒｏｌ  ａｄｄｒｅｓｓ）でモジューロ（ｍｏｄｕｌｏ）演算して獲得した値からページングキャリアを確認することができる。
【０１６４】
特に、移動局は、ＭＡＣアドレスの一部であるＬＳＢ（Ｌｅａｓｔ  Ｓｉｇｎｉｆｉｃａｎｔ  Ｂｉｔ）をモジューロ演算して得た値を用いて、移動局に割り当てられたページングキャリアを区別することができる。
【０１６５】
例えば、移動局は、移動局のＭＡＣアドレスののうちＬＳＢ４ビットを用いてモジューロ演算を取ることができる。モジューロ演算を取る移動端末のＭＡＣアドレスのＬＳＢビットは、基地局で運用するマルチキャリアの個数によって変わることができる。
【０１６６】
もし、基地局で運用するマルチキャリアが１６個である場合は、移動端末はＬＳＢ４ビットを使用してモジューロ演算を取ってページングキャリアを決定することができる。また、マルチキャリアが８個の場合は、移動局はＬＳＢ３ビットを使用してモジューロ演算を取って移動局のページングキャリアを決定することができる。
【０１６７】
次に、本発明のさらに他の実施例として、端末にページングキャリアを割り当てる他の方法を説明する。
【０１６８】
本実施例では、遊休モードで動作する端末の所望のＢＳ（ｐｒｅｆｅｒｒｅｄ  ＢＳ）が変更された場合に生じうる主キャリア（ｐｒｉｍａｒｙ  ｃａｒｒｉｅｒ）設定の問題を效率的に解決できる方法を提供する。このために、本実施例では、ブロードキャストされるメッセージ（例えば、ＭＯＢ＿ＮＢＲ−ＡＤＶ、ＡＡＩ＿ＮＢＲ−ＡＤＶ、ＡＡＩ＿ＤＲＥＧ−ＣＭＤ、ＡＡＩ＿ＭＣ−ＡＤＶまたはＰＧＩＤ  ｉｎｆｏｍｅｓｓａｇｅ）を用いて端末の主キャリア（遊休モード端末の場合はページングキャリア）をあらかじめ設定する方法を提案する。
【０１６９】
これは、マルチキャリア環境で遊休モードにあるＭＳに周辺セルのマルチキャリアに関する情報をブロードキャストメッセージを通じて知らせることによって、所望のＢＳが変更される度に発生しうる追加的な通信（ｃｏｍｍｕｎｉｃａｔｉｏｎ）による電力消耗（ｐｏｗｅｒ  ｃｏｎｓｕｍｐｔｉｏｎ）を防止できる効果を奏する。以下、その具体的な方法を説明する。
【０１７０】
１．周辺セルの完全構成のキャリアの数（または、全てのページングキャリアとして使用できるキャリアの数）を用いる方法
この方法は、周辺セル情報が含まれたメッセージ（例えば、ＩＥＥＥ  ８０２．１６ｅのＭＯＢ＿ＮＢＲ−ＡＤＶメッセージまたはＩＥＥＥ  。８０２．１６ｍのＡＡＩ＿ＮＢＲ−ＡＤＶ、ＡＡＩ＿ＤＲＥＧ−ＣＭＤ、ＡＡＩ＿ＭＣ−ＡＤＶまたはＰＧＩＤ  ｉｎｆｏｍａｔｉｏｎメッセージ）を通じて周辺セルの完全構成のキャリアの数（または、ページングキャリアとして使用できるキャリアの数）を端末に知らせる方法である。完全構成のキャリアの数のみを用いてＭＳとＢＳ間にページングキャリアを選択するためには以下の方法のうちの一つを用いることができる。
【０１７１】
１）同一のＢＳページンググループに属する遊休モードＭＳに対するＭＳグループ識別子を用いるページンググループ割当
遊休モードＭＳは、ページング制御器から割り当てられたページング聴取区間でページングメッセージを受信することができる。この時、同一のページング聴取区間を有するＭＳは暗黙的（ｉｍｐｌｉｃｉｔ）にグルーピングされるため、同一のページング聴取区間に属するＭＳに対してＭＳページンググループ識別子（ＭＳ  ｐａｇｉｎｇ  ｇｒｏｕｐ  ＩＤ）のような値を用いてページングキャリアを割り当てることができる。この値は、ＭＳが遊休モードに進入する時にページング聴取区間を設定するためのページング情報と共に与えられることができ、一度遊休モードＭＳに割り当てられると、同一のＢＳページンググループ内では同一に使用されることができる。
【０１７２】
すなわち、シングルキャリア環境でのＭＳは同一のＢＳページンググループ内で常に同一の聴取区間を設定して使用するから、同一のＢＳページンググループ内では同一のＭＳグループ識別子を有するようになる。同様に、マルチキャリア環境でのＭＳも、ページングのために一つのキャリアを使用するから、シングルキャリア環境においてと同一の方法を用いて聴取区間を設定し、同一のＢＳページンググループでは同一の聴取区間を使用することができる。
【０１７３】
一般の技術では、ＭＳグルーピングがシングルキャリアを使用するとした場合、ＢＳページンググループに属する全てのＭＳに対するページング通知（ｐａｇｉｎｇ  ｎｏｔｉｆｉｃａｔｉｏｎ）を一つのページングメッセージで伝送すると、メッセージの大きさによるオーバーヘッドにつながることがある。そこで、ＢＳはページングメッセージを時間軸に分散して伝送するためにＭＳ別に異なる聴取区間を設定する。したがって、異なる聴取区間で覚めるＭＳは、異なるＭＳページンググループに属するといえる。
【０１７４】
一般の技術では、単にＭＳに自身の聴取区間のみを知らせるだけで、明確にＭＳページンググループ識別子（ＭＳ  ｐａｇｉｎｇ  ｇｒｏｕｐ  ＩＤ）を使用してはいない。しかし、本実施例の一様相によれば、ＭＳページンググループ識別子を明示的（ｅｘｐｌｉｃｉｔ）にシグナリングすることによって、この値を用いて、異なるＭＳページンググループに属するＭＳに異なるページングキャリアを持たせることができる。
【０１７５】
すなわち、ページングメッセージのロードバランシンのためにページング制御器が時間軸に分散させた遊休モードＭＳをＢＳの完全構成のキャリアにも適切に分散させることによって、各ＭＳがネットワーク再進入（ｎｅｔｗｏｒｋ  ｒｅｅｎｔｒｙ）を行った後に一つのキャリアを主キャリアと設定して、ロードが集中することを防止できるようにする。
【０１７６】
この方法の動作を例示すると、図１０と通りである。
【０１７７】
図１０は、本発明のさらに他の実施例として、マルチキャリア環境でのページングキャリア割当方法の一例を示す図である。
【０１７８】
図１０では、ＢＳ１は一般的なシングルキャリア環境の基地局とし、ＢＳ２は完全構成のキャリアとしてＲＦキャリア１，２，３，４の総４個を有し、ＢＳ３はＲＦキャリア１，２の総２個を有する場合を仮定する。
【０１７９】
シングルキャリア環境（ＢＳ１）の場合、一つのキャリアを使用するから、一つのキャリア上にページング区間（ｐａｇｉｎｇ  ｉｎｔｅｒｖａｌ）が時間軸に分散されてページングメッセージが伝送される。しかし、本実施例の一様相によるページングキャリア割当方法が適用されたマルチキャリア環境（ＢＳ２及びＢＳ３）の場合は、各ページンググループをマルチキャリアの全ての完全構成のキャリア（または、ページングキャリアとして使用可能なキャリア）に分散させることができる。
【０１８０】
各ＭＳは、周辺セル情報から、所望のＢＳ（ｐｒｅｆｅｒｒｅｄ  ＢＳ）の完全構成のキャリア数（または、ページングキャリアとして使用可能なキャリアの数）をあらかじめ知ることができ、自身の属するページンググループ識別子を用いてモジューロ演算をし、自身が使用するページングキャリアのインデックスを知ることができる。
【０１８１】
端末のモジューロ演算を用いたページングキャリアのインデックスは、下記の数学式１のように計算することができる。
【０１８２】
【数１】
0005178916.tif 000012
【０１８３】
数学式１で、‘Ｎ’は、ＢＳの完全構成のキャリア数またはページングキャリアとして使用可能なキャリアの数を表す。また、‘ＭＳ  ｐａｇｉｎｇｃａｒｒｉｅｒ’ｓ  ｉｎｄｅｘ’は、ページングキャリアのインデックス、完全構成のキャリアのインデックスまたはページングキャリアとして使用可能なキャリアのインデックスのうちのいずれか一つを表す。
【０１８４】
このように端末が自身のページングキャリアを自身のＭＳページンググループＩＤを用いて確認できるようにすることによって、遊休モードＭＳを各キャリアに均一に分散させることができる。したがって、ネットワーク再進入時に各ＭＳは自身のページングキャリアをそのまま主キャリアに設定でき、別のキャリア変更（ｃａｒｒｉｅｒ  ｓｗｉｔｃｈｉｎｇ）手順無しでキャリアロード（ｃａｒｒｉｅｒ  ｌｏａｄ）を分散させる効果が得られる。さらに、時間軸に分散して伝送されていたページングメッセージがそのまま自身のＭＳページンググループＩＤによる一つのページングキャリアで伝送されるようにすることによって、メッセージオーバーヘッドも最小化することができる。
【０１８５】
２）ＭＳ固有情報を用いたページンググループ割当
本実施例の他の様相によれば、ＭＳページンググループ識別子が使用されない場合には、ＭＳ固有情報を用いて、遊休モードＭＳがページングメッセージを受信するページンググループを割り当てることができる。
【０１８６】
すなわち、聴取区間の設定がページング制御器により任意に行われ、本実施例の一様相とは違い、ＭＳページンググループ識別子値が伝送されないとすれば、各ＭＳは、ページングキャリアを選択するに当たって自身の固有ＩＤを使用することができる。このようなＭＳ固有のＩＤの例には、ＭＡＣ  ＩＤ、Ｓｔａｔｉｏｎ  ＩＤ、ｔｅｍｐｏｒａｒｙ  ＩＤ、ｆｌｏｗ  ＩＤ、ＭＡＣ  ａｄｄｒｅｓｓ  ｈａｓｈなどがある。ここで、ｔｅｍｐｏｒａｒｙ  ＩＤは、ページングコントローラが端末に付与する臨時識別子であり、ＭＳは、ＢＳから受信するＤＲＥＧ−ＣＭＤなどのようなメッセージを通じて該識別子を確認することができる。
【０１８７】
このために、端末は、遊休モード進入時に聴取区間が割り当てられ、所望のＢＳを新しく設定する度に、自身がモニタリングすべきキャリアを該ＢＳの完全構成のキャリア数（または、全てのページングキャリアとして使用可能なキャリア数）と自身の固有ＩＤ情報を用いて設定することができる。換言すると、ＭＳは、遊休モード進入時に割り当てられた聴取区間で、自身の固有ＩＤと所望のＢＳの完全構成のキャリア数によって設定されたページングキャリアを通じてページングメッセージを受信することができる。
【０１８８】
また、基地局は自身の全ての完全構成のキャリア（または、全てのページングキャリアとして使用可能なキャリア）上にＢＳページンググループ内で設定された聴取区間を用いてページングメッセージ伝送する。すなわち、ＢＳは、自身のセルで使用できる完全構成のキャリア数（または、全てのページングキャリアとして使用可能なキャリアの数）と自身のＢＳページンググループに属している遊休モードＭＳの固有ＩＤを用いて各ＭＳをモニタリングするキャリアを設定し、該当のＭＳに相応するページングキャリアの聴取区間でページングメッセージを周期的に伝送する。
【０１８９】
この場合、各ＭＳに対するページング聴取区間は、ページングメッセージのオーバーヘッド及びロードが適切に分散されるように具現することが好ましい。
【０１９０】
この方法の動作を例示すると、図１１の通りになる。
【０１９１】
図１１は、本発明のさらに他の実施例として、マルチキャリア環境でのページングキャリア割当方法の他の例を示す図である。
【０１９２】
図１１で、ＢＳ１は、一般的なシングルキャリア環境の基地局であり、ＢＳ２は、完全構成のキャリアとしてＲＦキャリア１，２，３，４の総４個を有し、ＢＳ３は、ＲＦキャリア１，２の総２個を有する場合を仮定する。
【０１９３】
シングルキャリア環境（ＢＳ１）の場合、一つのキャリアを使用するから、一つのキャリア上でページング区間が時間軸に分散してページングメッセージが伝送される。しかし、本実施例の他の様相によるページングキャリア割当方法が適用されたマルチキャリア環境（ＢＳ２及びＢＳ３）では、各ページンググループが聴取区間を維持した状態でマルチキャリアの全ての完全構成のキャリア（または、ページングキャリアとして使用可能なキャリア）にさらに分散されるようにすることができる。
【０１９４】
各ＭＳは、周辺セル情報から、所望のＢＳの完全構成のキャリア数（または、ページングキャリアとして使用可能なキャリアの数）をあらかじめ知ることができ、自身の固有ＩＤを用いてモジューロ演算をし、自身が使用するページングキャリアのインデックスを知ることができる。
【０１９５】
端末のモジューロ演算を用いたページングキャリアのインデックスは、下記の数学式２のように計算することができる。
【０１９６】
【数２】
0005178916.tif 000013
【０１９７】
数学式２で、‘Ｎ’は、ＢＳの完全構成のキャリア数またはページングキャリアとして使用可能なキャリアの数を表す。また、‘ＭＳ  ｐａｇｉｎｇ  ｃａｒｒｉｅｒ’ｓ  ｉｎｄｅｘ’は、ページングキャリアのインデックス、完全構成のキャリアのインデックスまたはページングキャリアとして使用可能なキャリアのインデックスのいずれかを表す。
【０１９８】
また、図１１を参照すると、ＭＳの固有のＩＤ（例えば、ｔｅｍｐｏｒａｒｙ  ＩＤ）が３であるＭＳは、ＢＳ２ではキャリアインデックス３を自身のページングキャリアと判断することができ、ＢＳ３ではキャリアインデックス１を自身のページングキャリアと判断することができる。
【０１９９】
また、本実施例で、周辺セル情報が含まれたメッセージ（例えば、１６ｅのＭＯＢ＿ＮＢＲ−ＡＤＶメッセージまたは１６ｍのＡＡＩ＿ＮＢＲ−ＡＤＶ、ＡＡＩ＿ＤＲＥＧ−ＣＭＤ、ＡＡＩ＿ＭＣ−ＡＤＶまたはＰＧＩＤ  ｉｎｆｏメッセージ）の周辺セルのマルチキャリアに関する情報を通じて、ページングキャリアとして使用可能なキャリアの数を遊休モードＭＳが類推できるようにし、ターゲットＢＳのページングキャリアを選択するようにすることもできる。
【０２００】
３）ネットワーク再進入時のプライマリキャリア割当
一方、本実施例のさらに他の様相によれば、数学式１及び数学式２を用いて説明されたキャリア選択方法は、ネットワーク再進入時のプライマリキャリアを定めるために使用されることもできる。この場合、ページングキャリアは、ＢＳの完全構成のキャリア（または、ページングキャリアとして使用可能なキャリア）の数によらず、基地局当たり一つのみ設定されることを基本とする。換言すると、ＢＳは、自身のＢＳページンググループに属する全ての端末に一つのページングキャリアを通じてページングメッセージを伝達する。その代わりに、端末がネットワーク再進入を行う場合には、上記の数学式１または数学式２のいずれかを用いて自身のプライマリキャリアを選択するようにすることができる。このような場合、数学式１及び数学式２は、下記の数学式３及び数学式４に書き直される。
【０２０１】
【数３】
0005178916.tif 000014
【０２０２】
数学式３は、基地局が端末にＭＳページンググループを知らせる場合、ＭＳがＭＳページンググループＩＤを用いて自身のネットワーク再進入時の主キャリアを判断する方法を示すものである。
【０２０３】
【数４】
0005178916.tif 000015
【０２０４】
数学式４は、基地局が端末にＭＳページンググループを知らせない場合、ＭＳが自身の固有ＩＤを用いて自身のネットワーク再進入時の主キャリアを判断する方法を示すものである。
【０２０５】
これらの方法のうち数学式４を用いた場合を、図１２を参照して説明する。
【０２０６】
図１２は、本発明のさらに他の実施例として、マルチキャリア環境でのプライマリキャリア割当方法の一例を示す図である。
【０２０７】
図１２では、ＢＳ１は、一般的なシングルキャリア環境の基地局であり、ＢＳ２は完全構成のキャリアとしてＲＦキャリア１、２、３、４の総４個を有する場合を仮定する。
【０２０８】
シングルキャリア環境（ＢＳ１）の場合、一つのキャリアを使用するために一つのキャリア上にページング区間が時間軸で分散してページングメッセージが伝送され、端末はネットワーク再進入時にページングキャリアと同じキャリアをプライマリキャリアに設定するようになる。マルチキャリア環境（ＢＳ２）でも、一つのページングキャリアを用いることはＢＳ１と同一てある。ただし、各端末がネットワーク再進入時に自身のプライマリキャリアを選択するに当たっては、端末自身の固有ＩＤを用いてモジューロ演算を取るようになる。したがって、ネットワークに再進入する端末のプライマリキャリアは、マルチキャリアの全ての完全構成のキャリア（または、ページングキャリアとして使用可能なキャリア）に分散されることができる。例えば、端末の固有識別子（例えば、ｔｅｍｐｏｒａｒｙ  ＩＤ）が１１である端末の場合、数学式４によって１１％４＝＝３であるから、キャリアインデックス３を自身のプライマリキャリアとして選択するようになる。
【０２０９】
２．ページングキャリアの定義
本実施例で使用されるページンググループは、上記の方法のうちのいずれか一つによってＭＳ及びＢＳ間に設定されることができる。ここで、ＭＳが遊休モードに進入時に設定されたページンググループが、一般／活性モード（ｎｏｒｍａｌ／ａｃｔｉｖｅ  ｍｏｄｅ）で主キャリアと同じキャリアであるか否かによらずにページンググループとして設定されると、主キャリアで行っていた基本動作をページンググループで行うことが好ましい。そのために、ページンググループが主キャリアでなかった場合には自動的にページンググループにキャリア変更（ｃａｒｒｉｅｒ  ｓｗｉｔｃｈｉｎｇ）するようにすることが好ましい。また、遊休モードＭＳの所望のＢＳが変更された場合にも、新しく設定されたページンググループは、ＭＳの主キャリアの基本的な役割（例えば、メッセージ伝送またはシステム情報伝送と関連する動作）を全て行えることが好ましい。
【０２１０】
３．Ｐａｇｉｎｇ  ｃａｒｒｉｅｒ’ｓ  ｉｎｄｅｘの定義
本実施例で使用されるページンググループは、任意のセルで使用されうる全ての（または、一部の）完全／部分構成のキャリア（ｆｕｌｌｙ／ｐａｒｔｉａｌｌｙ  ｃｏｎｆｉｇｕｒｅｄ  ｃａｒｒｉｅｒｓ）であっても良く、全ての（または一部の）完全構成のキャリアであっても良く、全ての（または一部の）部分構成のキャリアであっても良い。ただし、上述した通り、ページングキャリアは、完全構成のキャリアに設定されることが好ましい。
【０２１１】
一般的なＩＥＥＥ  ８０２．１６ｍシステムでは、任意のセルで使用可能なマルチキャリアに関する情報を、ＡＡＩ＿ＮＢＲ−ＡＤＶメッセージまたはＡＡＩ＿ＭＣ−ＡＤＶメッセージのようなブロードキャストメッセージを通じて伝送している。このようなマルチキャリアは、固有の物理的キャリアインデックスを有する。本実施例では、完全構成のキャリアの数またはページングキャリアとして使用可能なキャリアの数を用いて任意のＭＳが使用するページングキャリアを類推することを提案している。
【０２１２】
ところが、上述したように、本実施例では、任意のＭＳがページンググループ識別子またはＭＳＩＤのような自身の固有ＩＤでモジューロ演算をして、ページンググループインデックスを選択する。したがって、本実施例で全てのキャリアまたは完全構成のキャリアのうちの一部のみがページングキャリアとして使用される場合、物理的キャリアインデックスの他に各ページンググループインデックスをマッピングする方法を定義する必要がある。
【０２１３】
まず、本実施例で定義するページンググループは、ＢＳが伝送するマルチキャリアに関する情報を伝送するメッセージ（すなわち、ＡＡＩ＿ＮＢＲ−ＡＤＶまたはＡＡＩ＿ＭＣ−ＡＤＶ）で各キャリアに関する情報と一緒に“ページングキャリア指示（ｐａｇｉｎｇ  ｃａｒｒｉｅｒ  ｉｎｄｉｃａｔｉｏｎ）”フィールドを新しく定義することによって、該当のキャリアがページングキャリアとして使用されうることを指示することができる。ここで、特定キャリアのページングキャリア指示フィールドが‘１’に設定されると、該当のキャリアがページングキャリアとして使用されることを表すことができる。
【０２１４】
したがって、本実施例では、ＢＳがセル内の全てのキャリアに対する固有の物理的キャリアインデックス及び自身のセルに属する全てのキャリア（すなわち、ａｖａｉｌａｂｌｅ  ｃａｒｒｉｅｒｓ）に対する構成（ｃｏｎｆｉｇｕｒａｔｉｏｎ）情報を伝送するメッセージ（すなわち、ＡＡＩ＿ＮＢＲ−ＡＤＶまたはＡＡＩ＿ＭＣ−ＡＤＶ）で該当のキャリアがページングキャリアとして使用されるキャリアであるか否かを知らせる指示（ｉｎｄｉｃａｔｉｏｎ）（ページングキャリア指示フィールド）をさらにシグナリングすることを提案する。
【０２１５】
また、ＢＳは、ページングキャリアであるか否かを指示する情報と共にページングキャリアの数（Ｎ）を明示的（ｅｘｐｌｉｃｉｔ）に伝送することによって、ＭＳが全体ページンググループ数（Ｎ）を用いて自身のページングキャリアインデックスを計算できるようにする。または、ＭＳは、ＢＳのキャリア情報を含むメッセージのページングキャリア指示フィールドのみを通じて暗黙的に全体ページンググループ数（Ｎ）を類推することもできる。
【０２１６】
このような情報（ページングキャリアの数またはページングキャリア指示）は、追加システム情報メッセージのうちの一つであるＰＧＩＤ  ｉｎｆｏｒｍａｔｉｏｎメッセージまたはＡＡＩ＿ＤＲＥＧ−ＣＭＤメッセージのようなページング関連情報が伝送されるメッセージで明示的にシグナリングされることもできる。
【０２１７】
以下、本実施例によるページングキャリアインデックスをマッピングする具体的な方法について説明する。
【０２１８】
１）ページングキャリアインデックスの暗黙的マッピング（ｉｍｐｌｉｃｉｔ  ｍａｐｐｉｎｇ）方法
セル内のａｖａｉｌａｂｌｅ  ｃａｒｒｉｅｒｓ情報が伝送されるメッセージ（例えば、ＡＡＩ＿ＮＢＲ−ＡＤＶまたはＡＡＩ＿ＭＣ−ＡＤＶ）内で“ページングキャリア指示”フィールドが１に設定されたキャリアのうちの該当するキャリアの物理的キャリアインデックスの降順（または昇順）に従って順次にページングキャリアインデックスが暗黙的に０〜（Ｎ−１）まで割り当てられることができる。
【０２１９】
例えば、物理的キャリアインデックスが０、３、６、７であるキャリアが、ページンググループとして指示（すなわち、ページングキャリア指示フィールドが‘１’に設定）されると、各キャリアに対するページングキャリアインデックスは、下記のようにＢＳとＭＳが暗黙的に類推することができ、該当のセルのページンググループ数（Ｎ）は４となる。
【０２２０】
具体的に説明すると、昇順の場合、Ｐｈｙｓｉｃａｌ  ｃａｒｒｉｅｒ  ｉｎｄｅｘ  ０（ｐａｇｉｎｇ  ｃａｒｒｉｅｒ  ｉｎｄｉｃａｔｉｏｎ＝１に設定）であるキャリアのページングキャリアインデックスは０になり、Ｐｈｙｓｉｃａｌ  ｃａｒｒｉｅｒ  ｉｎｄｅｘ  ３（ｐａｇｉｎｇ  ｃａｒｒｉｅｒ  ｉｎｄｉｃａｔｉｏｎ＝１に設定）であるキャリアのページングキャリアインデックスは１になることができる。また、Ｐｈｙｓｉｃａｌ  ｃａｒｒｉｅｒ  ｉｎｄｅｘ  ６（ｐａｇｉｎｇ  ｃａｒｒｉｅｒ  ｉｎｄｉｃａｔｉｏｎ＝１に設定）であるキャリアのページングキャリアインデックスは２になり、Ｐｈｙｓｉｃａｌ  ｃａｒｒｉｅｒ  ｉｎｄｅｘ  ７（ｐａｇｉｎｇ  ｃａｒｒｉｅｒ  ｉｎｄｉｃａｔｉｏｎ＝１に設定）であるキャリアのページングキャリアインデックスは３になることができる。
【０２２１】
逆に、降順の場合、Ｐｈｙｓｉｃａｌ  ｃａｒｒｉｅｒ  ｉｎｄｅｘ  ０（ｐａｇｉｎｇ  ｃａｒｒｉｅｒ  ｉｎｄｉｃａｔｉｏｎ＝１に設定）であるキャリアは、ページングキャリアインデックスが３になり、Ｐｈｙｓｉｃａｌ  ｃａｒｒｉｅｒ  ｉｎｄｅｘ  ３（ｐａｇｉｎｇ  ｃａｒｒｉｅｒ  ｉｎｄｉｃａｔｉｏｎ＝１に設定）であるキャリアのページングキャリアインデックスは２になることができる。
【０２２２】
２）全てのキャリア情報が伝送されるブロードキャストメッセージを通じたページングキャリアインデックスの明示的シグナリング（ｅｘｐｌｉｃｉｔ  ｓｉｇｎａｌｉｎｇ）方法
端末は、セル内のａｖａｉｌａｂｌｅ  ｃａｒｒｉｅｒｓ情報が伝送されるメッセージ（例えば、ＡＡＩ＿ＮＢＲ−ＡＤＶまたはＡＡＩ＿ＭＣ−ＡＤＶ）を通じてページングキャリアインデックスが明示的に割り当てられることができる。この時、ページングキャリア指示フィールドも共に定義される場合、１に設定された場合にのみページングキャリアインデックスがさらに伝送されるようにすることもでき、ページングキャリアインデックスとページングキャリア指示が常に共に伝送されるようにすることもできる。
【０２２３】
これを、下記の表１１及び１２を参照して説明する。
【０２２４】
表１１は、本発明のさらに他の実施例に関連するＡＡＩ＿ＮＢＲ−ＡＤＶメッセージフォーマットの一例を表すものである。
【０２２５】
【表１１−１】
0005178916.tif 000016
【０２２６】
【表１１−２】
0005178916.tif 000017
【０２２７】
表１１を参照すると、端末は、Ｎｕｍｂｅｒ  ｏｆ  Ｐａｇｉｎｇ  ｃａｒｒｉｅｒｓフィールドから、該当のＢＳで使用できるページングキャリアの数（Ｎ）がわかる。もし、ＮＢＲ−ＡＤＶメッセージで各ＮＢＲ  ＡＢＳに属する全てのａｖａｉｌａｂｌｅ  ｃａｒｒｉｅｒｓに関する情報が共に伝送されるとすれば、各キャリアに対する構成（ｃｏｎｆｉｇｕｒａｔｉｏｎ）情報に加えて、各キャリアに対するページングキャリア指示、及び必要によってページングキャリアインデックスも共に伝送されることもできる。
【０２２８】
次に、表１２は、本発明のさらに他の実施例に関連するＡＡＩ＿ＭＣ−ＡＤＶメッセージフォーマットの一例を表すものである。
【０２２９】
【表１２−１】
0005178916.tif 000018
【０２３０】
【表１２−２】
0005178916.tif 000019
【０２３１】
表１２を参照すると、ＡＡＩ＿ＭＣ−ＡＤＶメッセージにはＮｕｍｂｅｒ  ｏｆ  ｐａｇｉｎｇ  ｃａｒｒｉｅｒｓフィールドが含まれて、ページングキャリアとして使用されうるキャリアの数（Ｎ）を端末に知らせることができる。また、ＡＡＩ＿ＭＣ−ＡＤＶメッセージには、該当のキャリアがページングキャリアとして使用されうるキャリアであるか否かを示すＰａｇｉｎｇ  ｃａｒｒｉｅｒ  ｉｎｄｉｃａｔｉｏｎフィールド及び該当のキャリアのＰａｇｉｎｇ  ｃａｒｒｉｅｒ  ｉｎｄｉｃａｔｉｏｎフィールドが１の場合に該当のキャリアのページングキャリアインデックスを表すｐａｇｉｎｇ  ｃａｒｒｉｅｒ  ｉｎｄｅｘフィールドが含まれることができる。
【０２３２】
３）ページング関連情報が伝送されるメッセージを通じたページングキャリアインデックスの明示的シグナリング方法
ＢＳは、ＭＳにページング情報伝送のためのメッセージ（例えば、ＰＧＩＤ  ｉｎｆｏｒｍａｔｉｏｎメッセージまたはＡＡＩ＿ＤＲＥＧ−ＣＭＤメッセージ）を通じて、該当のセルで使用するページングキャリアの数（Ｎ）と共にページングキャリアインデックス−物理的キャリアインデックスマッピングを、ページンググループに対してのみ明示的にシグナリングすることができる。
【０２３３】
これを、下記の表１３及び表１４を参照して説明する。
【０２３４】
表１３は、本発明のさらに他の実施例に関連するＰＧＩＤ  ｉｎｆｏｒｍａｔｉｏｎメッセージフォーマットの一例を表すものである。
【０２３５】
【表１３】
0005178916.tif 000020
【０２３６】
表１３を参照すると、ＰＧＩＤ  ｉｎｆｏｒｍａｔｉｏｎメッセージには、Ｎｕｍｂｅｒ  ｏｆ  ｐａｇｉｎｇ  ｃａｒｒｉｅｒｓフィールドが含まれて、ページングキャリアで使用されうるキャリアの数（Ｎ）を端末に知らせることができる。また、ＰＧＩＤ  ｉｎｆｏｒｍａｔｉｏｎメッセージには、ページングキャリアに該当するキャリアの物理的キャリアインデックスを明示的にシグナリングするＰｈｙｓｉｃａｌ  ｃａｒｒｉｅｒ  ｉｎｄｅｘフィールド及び物理的キャリアインデックスに対するページングキャリアインデックスを表すフィールドが含まれることができる。
【０２３７】
表１４は、本発明のさらに他の実施例に関連するＡＡＩ−ＤＲＥＧ−ＣＭＤメッセージフォーマットの一例を表すものである。
【０２３８】
【表１４】
0005178916.tif 000021
【０２３９】
表１４を参照すると、ＡＡＩ−ＤＲＥＧ−ＣＭＤメッセージにはＮｕｍｂｅｒ  ｏｆ  ｐａｇｉｎｇ  ｃａｒｒｉｅｒｓフィールドが含まれて、ページングキャリアで使用されうるキャリアの数（Ｎ）を端末に知らせることができる。また、ＡＡＩ−ＤＲＥＧ−ＣＭＤメッセージには、ページングキャリアに該当するキャリアの物理的キャリアインデックスを明示的にシグナリングするＰｈｙｓｉｃａｌ  ｃａｒｒｉｅｒ  ｉｎｄｅｘフィールド及び物理的キャリアインデックスに対するページングキャリアインデックスを表すフィールドが含まれることができる。それ以外にも、ＡＡＩ−ＤＲＥＧ−ＣＭＤメッセージには、ページング情報（Ｐａｇｉｎｇ  ｉｎｆｏｒｍａｔｉｏｎ）、ページング周期（Ｐａｇｉｎｇ  ｃｙｃｌｅ）、ページングオフセット（Ｐａｇｉｎｇ  ｏｆｆｓｅｔ）、ページンググループ識別子（Ｐａｇｉｎｇ  ｇｒｏｕｐ  ＩＤ）、ページング制御器識別子（Ｐａｇｉｎｇ  ｃｏｎｔｒｏｌｌｅｒ  ＩＤ）、遊休モード保持情報（Ｉｄｌｅ  Ｍｏｄｅ  Ｒｅｔａｉｎ  Ｉｎｆｏｒｍａｔｉｏｎ）、臨時識別子（Ｔｅｍｐｏｒａｒｙ  Ｉｄｅｎｔｉｆｉｅｒ）などの情報が含まれることができる。
【０２４０】
本発明のさらに他の実施例として、以上の本発明の実施例が行われる端末及び基地局（ＦＢＳ、ＭＢＳ）について説明する。
【０２４１】
端末は、アップリンクでは送信機として動作し、ダウンリンクでは受信機として動作することができる。また、基地局は、アップリンクでは受信機として動作し、ダウンリンクでは送信機として動作することができる。すなわち、端末及び基地局は、情報またはデータの伝送のために送信機及び受信機を含むことができる。
【０２４２】
送信機及び受信機は、本発明の実施例が行われるためのプロセッサー、モジュール、部分及び／または手段などを含むことができる。特に、送信機及び受信機は、メッセージを暗号化するためのモジュール（手段）、暗号化されたメッセージを解析するためのモジュール、メッセージを送受信するためのアンテナなどを含むことができる。このような送信端と受信端の一例を、図１０を参照して説明する。
【０２４３】
図１３は、本発明のさらに他の実施例として、送信端及び受信端構造の一例を示すブロック図である。
【０２４４】
図１３を参照すると、左側は送信端の構造を示し、右側は受信端の構造を示す。送信端と受信端のそれぞれは、アンテナ１０００，１００１、プロセッサー１００２，１００３、伝送モジュール（Ｔｘ  ｍｏｄｕｌｅ）１００４，１００５、受信モジュール（Ｒｘ  ｍｏｄｕｌｅ）１００６，１００７及びメモリー１００８，１００９を含むことができる。各構成要素は互いに対応する機能を行うことができる。以下、各構成要素についてより詳細に説明する。
【０２４５】
アンテナ１０００，１００１は、伝送モジュール１００４，１００５で生成された信号を外部に伝送する送信アンテナ及び外部から無線信号を受信して受信モジュール１００６，１００７に伝達する機能を果たす受信アンテナで構成される。該アンテナは、多重アンテナ（ＭＩＭＯ）機能が支援される場合は、２個以上とすることができる。
【０２４６】
プロセッサー１００２，１００３は、通常、送信端または受信端の全般的な動作を制御する。特に、上述した本発明の実施例を行うためのコントローラ機能、サービス特性及び伝播環境に応じたＭＡＣ（Ｍｅｄｉｕｍ  Ａｃｃｅｓｓ  Ｃｏｎｔｒｏｌ）フレーム可変制御機能、ハンドオーバー（ＨａｎｄＯｖｅｒ）機能、認証及び暗号化機能などを行うことができる。
【０２４７】
特に、本発明の実施例で説明された移動端末機のプロセッサーは、基地局からページングキャリアが割り当てられたり、割り当てられたページングキャリアを変更するためにメッセージを生成して基地局に伝送したりするように構成されることができる。
【０２４８】
例えば、本発明の一実施例による移動端末が任意の基地局に初めて接続する場合、本発明の一例によるプロセッサーは、送信部を介して該当の基地局の基本能力要請メッセージを伝送することによって基地局と基本能力を交渉し、該当の基地局に登録する場合、登録要請メッセージを生成して伝送するように構成されることができる。
【０２４９】
さらに他の例としては、移動端末が遊休モードに遷移する時、基地局から割り当てられるページングキャリアを変更するように、本発明の一例によるプロセッサーは、移動局が遊休モードに進入するための登録解除要請メッセージを生成して基地局に伝送するように構成されることができる。これにより、基地局は、既存に割り当てられたページングキャリアを維持したりまたは変更することができる。または、プロセッサーは、端末が所望するページングキャリアを決定し、決定されたページングキャリアの識別子またはインデックスを含むメッセージを基地局に伝送するように構成されることができる。
【０２５０】
一方、基地局のプロセッサーは、一つ以上のキャリアを含むマルチキャリアのうちの所定のキャリアにページングチャネルを割り当ててページングキャリアを生成し、移動端末機の移動性に適合したページングキャリアを割り当てるように構成されることができる。
【０２５１】
具体的に、本発明の一実施例による基地局のプロセッサーは、移動端末機から基本能力交渉要請メッセージまたは登録要請メッセージが受信される場合、ページングキャリアの識別子またはインデックスを含むページングキャリアに関する割当情報を含むメッセージを移動端末機に伝送するように構成されることができる。または、移動端末機が遊休モードに進入するために割り当てられたページングキャリアの変更要請を伝送する場合、基地局のプロセッサーは、割り当てられたページングキャリアを変更するか否かを決定して該当の移動端末機にページングキャリアを割り当てるように構成されることができる。
【０２５２】
伝送モジュール１００４，１００５は、プロセッサー１００２，１００３からスケジューリングされて外部に伝送されるデータに所定の符号化（ｃｏｄｉｎｇ）及び変調（ｍｏｄｕｌａｔｉｏｎ）を行った後、アンテナ１０に伝達することができる。伝送モジュールとアンテナは、図１０に示すように分離せずに、無線信号を伝送するための送信部とすることもできる。
【０２５３】
受信モジュール１００６，１００７は、外部からアンテナ１０００，１００１を通じて受信された無線信号に復号（ｄｅｃｏｄｉｎｇ）及び復調（ｄｅｍｏｄｕｌａｔｉｏｎ）を行い、原本データの形態に復元してプロセッサー１００２，１００３に伝達することができる。受信モジュールとアンテナは、図１０に示すように分離ぜずに、無線信号を受信するための受信部とすることもできる。
【０２５４】
メモリー１００８，１００９は、プロセッサー１００２，１００３の処理及び制御のためのプログラムが格納されることもでき、入／出力されるデータ（端末の場合、基地局から割り当てられたアップリンクグラント（ＵＬ  ｇｒａｎｔ）、システム情報、ＳＴＩＤ、ＦＩＤ、動作時間などの臨時記憶のための機能を果たすこともできる。また、メモリー１００８，１００９は、フラッシュメモリータイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリー（例えば、ＳＤまたはＸＤメモリー等）、ＲＡＭ（Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、磁気メモリー、磁気ディスク、光ディスクのうちの少なくとも一つのタイプの記憶媒体を含むことができる。
【０２５５】
一方、基地局は、上述の本発明の実施例を行うためのコントローラ機能、直交周波数分割多重接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（ＴＤＤ：Ｔｉｍｅ  Ｄｉｖｉｓｉｏｎ  Ｄｕｐｌｅｘ）パケットスケジューリング及びチャネル多重化機能、サービス特性及び伝播環境によるＭＡＣフレーム可変制御機能、高速トラフィック実時間制御機能、ハンドオーバー（Ｈａｎｄｏｖｅｒ）機能、認証及び暗号化機能、データ伝送のためのパケット変復調機能、高速パケットチャネルコーディング機能及び実時間モデム制御機能などを、上述したモジュールのうちの少なくとも一つを通じて行ったり、このような機能を行うための別の手段、モジュールまたは部分などをさらに含むことができる。
【０２５６】
本発明は、本発明の精神及び必須特徴を逸脱しない範囲で他の特定の形態に具体化されることができる。したがって、上記の詳細な説明は、いずれの面においても制約的に解析されてはならず、例示的なものとして考慮されなければならない。本発明の範囲は、添付した請求項の合理的な解析により決定されるべきであり、よって、本発明の等価的範囲内における変更はいずれも本発明の範囲に含まれる。また、特許請求の範囲で明示的な引用関係を有しない請求項を結合して実施例を構成したり、出願後の補正により新しい請求項として含めることができる。
【産業上の利用可能性】
【０２５７】
本発明の実施例は種々の無線接続システムに適用することができる。種々の無線接続システムの一例には、３ＧＰＰ（３ｒｄ  Ｇｅｎｅｒａｔｉｏｎ  Ｐａｒｔｎｅｒｓｈｉｐ  Ｐｒｏｊｅｃｔ）、３ＧＰＰ２及び／またはＩＥＥＥ  ８０２．ｘｘ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  ８０２）システムなどがある。本発明の実施例は、これら種々の無線接続システムに限定されず、これら種々の無線接続システムを応用した技術分野のいずれにも適用可能である。
【図１】
0005178916.tif 000022
【図２】
0005178916.tif 000023
【図３】
0005178916.tif 000024
【図４】
0005178916.tif 000025
【図５】
0005178916.tif 000026
【図６】
0005178916.tif 000027
【図７】
0005178916.tif 000028
【図８】
0005178916.tif 000029
【図９】
0005178916.tif 000030
【図１０】
0005178916.tif 000031
【図１１】
0005178916.tif 000032
【図１２】
0005178916.tif 000033
【図１３】
0005178916.tif 000034